【事件の表示】
　特許第３１３７２３１号「差分表示装置」の請求項１ないし１３に係る特許に対する特許異議の申立てについて、次のとおり決定する。
【結　論】
　訂正を認める。
　特許第３１３７２３１号の請求項５、７、８、１２、１３、１ないし３に係る特許を取り消す。
　同請求項４、６、９ないし１１に係る特許を維持する。
【理　由】
１．手続の経緯
　本件特許第３１３７２３１号に係る出願は、平成７年１１月２日に出願されたものであって、平成１２年１２月８日に特許の設定登録がされ、その後その特許請求の範囲における請求項１〜１３に係る発明について異議申立人金森英彦により特許異議の申立がなされ、取消しの理由が通知され、その指定期間である平成１３年１２月２７日に訂正請求がなされたものである。
　
２．訂正の適否についての判断
（１）訂正の内容
　平成１３年１２月２７日付けの訂正請求書による訂正事項は、
（ａ）特許請求の範囲の請求項１
　「【請求項１】論理情報を持つ図形情報を扱う図形編集装置における差分表示置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報との差分を獲得する差分獲得手段と、
　前記差分獲得手段によって得られた差分に基づいて、前記差分の表示属性を変更して図形情報を表示する表示手段と
　を有することを特徴とする図形編集装置における差分表示装置。」
を、
　「【請求項１】論理情報を持つ図形情報を扱う図形編集装置における差分表示置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報と
を比較して、該編集前の図形情報および論値情報と該編集後の図形情報および論理情報と
　前記差分獲得手段によって得られた差分に基づいて、前記差分の表示属性を変更して図形情報を表示
して前記差分を示す
　を有することを特徴とする図形編集装置における差分表示装置。」
と訂正する。
　
（ｂ）特許請求の範囲の請求項２
　「【請求項２】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記記情報編集手段による編集前の論理情報と編集後の論理情報との差分を獲得する差分獲得手段と、
　前記差分獲得手段によって得られた差分に基づいて、前記差分の表示属性を変更して図形情報を表示する表示手段と
　を有することを特徴とする図形編集装置における差分表示装置。」
を、
　「【請求項２】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記記情報編集手段による編集前の論理情報と編集後の論理情報と
を比較して、該編集前の論理情報と該編集後の論理情報と
　前記差分獲得手段によって得られた差分に基づいて、前記差分の表示属性を変更して図形情報を表示
して前記差分を示す
　を有することを特徴とする図形編集装置における差分表示装置。」
と訂正する。
　
（ｃ）特許請求の範囲の請求項３
　「【請求項３】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報情報編集手段と、
　前記情報編集手段が編集した図形情報および論理情報の編集結果を、前記記憶手段に記憶された図形情報および論理情報に反映させる情報格納手段と、
　前記情報編集手段による編集の前後における差分を獲得する際の基準を、論理情報を対象にするか、論理情報および図形情報を対象にするかを選択する基準選手段と、
　前記基準選択手段により選択された基準に従って、前記情報編集手段による編集の前後における差分を獲得する差分獲得手段と、
　前記差分獲得手段によって得られた差分に基づいて、前記差分の表示属性を変更して図形情報を表示する表示手段と
　を有することを特徴とする図形編集装置における差分表示装置。」
を、
「【請求項３】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報情報編集手段と、
　前記情報編集手段が編集した図形情報および論理情報の編集結果を、前記記憶手段に記憶された図形情報および論理情報に反映させる情報格納手段と、
　前記情報編集手段による編集の前後における差分を獲得する際の基準を、論理情報を対象にするか、論理情報および図形情報を対象にするかを選択する基準選手段と、
　前記基準選択手段により選択された基準に従って
、前記情報編集手段による編集の前後において比較を行い
　前記差分獲得手段によって得られた差分に基づいて、前記差分の表示属性を変更して図形情報を表示
して前記差分を示す
　を有することを特徴とする図形編集装置における差分表示装置。」
と訂正する。
　
（ｄ）特許請求の範囲の請求項４
　「【請求項４】第一のシステムと第二のシステムとを有して構成される論理情報を持つ図形情報を扱う図形編集装置における差分表示装置において、
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む第二のシステム情報読み込み手段と、
　前記第一のシステム情報読み込み手段で読み込まれた第一のシステムにおける図形情報および論理情報と、前記第二のシステム情報読み込み手段で読み込まれた第二のシステムにおける図形情報および論理情報とを比較して、異なる部分を表す差分情報を得る比較手段と、
　前記比較手段によって得られた差分情報の表示方法を設定する設定手段と、
　前記比較手段によって得られた差分情報に基づいて、第一のシステムにおける図形情報報および論理情報の中で第二のシステムにおける図形情報および論理情報と異なる部分の表示属性を前記設定手段により設定された表示方法に従って変更し、第一のシステムにおける図形情報を表示する表示手段と
　を有することを特徴とする図形編集装置における差分表示装置。」
を、
　「【請求項４】第一のシステムと第二のシステムとを有して構成される論理情報を持つ図形情報を扱う図形編集装置における差分表示装置において、
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む第二のシステム情報読み込み手段と、
　前記第一のシステム情報読み込み手段で読み込まれた第一のシステムにおける図形情報および論理情報と、前記第二のシステム情報読み込み手段で読み込まれた第二のシステムにおける図形情報および論理情報とを比較して、異なる部分を表す差分情報を得る比較手段と、
　前記比較手段によって得られた差分情報の表示方法を設定する設定手段と、
　前記比較手段によって得られた差分情報に基づいて、第一のシステムにおける図形情報報および論理情報の中で第二のシステムにおける図形情報および論理情報と異なる部分の表示属性を前記設定手段により設定された表示方法に従って変更し
て
し、該異なる部分を表示
　を有することを特徴とする図形編集装置における差分表示装置。」
と訂正する。
　
（ｅ）特許請求の範囲の請求項５
　「【請求項５】論理情報を持つ図形情報を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報との差分を獲得する差分獲得手段と、
　前記差分獲得手段によって得られた差分に基づいて、前記差分の表示属性を変更して図形情報を表示する表示手段と
　を有することを特徴とするＣＡＤシステムにおける差分表示装置。」
を、
　「【請求項５】論理情報を持つ図形情報を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報と
を比較して、該編集前の図形情報および論値情報と該編集後の図形情報および論理情報と
　前記差分獲得手段によって得られた差分に基づいて、前記差分の表示属性を変更して図形情報を表示
して前記差分を示す
　を有することを特徴とするＣＡＤシステムにおける差分表示装置。」
と訂正する。
　
（ｆ）特許請求の範囲の請求項６
「【請求項６】第一のシステムと第二のシステムとを有して構成される論理情報を持つ図形情報を扱うＣＡＤシステムにおける差分表示装置において、
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む二のシステム情報読み込み手段と、
　前記第一のシステム情報読み込み手段で読み込まれた第一のシステムにおける図形情報および論理情報と、前記第二のシステム情報読み込み手段で読み込まれ第二のシステムにおける図形情報および論理情報とを比較して、異なる部分を表す差分情報を得る比較手段と、
　前記記比較手段によって得られた差分情報の表示方法を設定する設定手段と、
　前記比較手段によって得られた差分情報に基づいて、第一のシステムにおける図形情報および論理情報の中で第二のシステムにおける図形情報および論理情報と異なる部分の表示属性を前記設定手段により設定された表示方法に従って変更し、第一のシステムにおける図形情報を表示する表示手段と
　を有することを特徴とするＣＡＤシステムにおける差分表示装置。」
を、
「【請求項６】第一のシステムと第二のシステムとを有して構成される論理情報を持つ図形情報を扱うＣＡＤシステムにおける差分表示装置において
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む二のシステム情報読み込み手段と、
　前記第一のシステム情報読み込み手段で読み込まれた第一のシステムにおける図形情報および論理情報と、前記第二のシステム情報読み込み手段で読み込まれ第二のシステムにおける図形情報および論理情報とを比較して、異なる部分を表す差分情報を得る比較手段と、
　前記記比較手段によって得られた差分情報の表示方法を設定する設定手段と、
　前記比較手段によって得られた差分情報に基づいて、第一のシステムにおける図形情報および論理情報の中で第二のシステムにおける図形情報および論理情報と異なる部分の表示属性を前記設定手段により設定された表示方法に従って変更して第一のシステムにおける図形情報を表示
し、該異なる部分を表示
　を有することを特徴とするＣＡＤシステムにおける差分表示装置。」
と訂正する。
　
（ｇ）特許請求の範囲の請求項７
　「【請求項７】文章および図形を扱うドキュメンテーシヨン編集装置におけ差分表示装置において、
　文章情報、図形情報およびそれぞれの属性情報を記憶する記憶手段と、
　前記記憶手段から文章情報、図形情報およびそれぞれの属性情報を読み込む情報読み込み手段と、
　前記情報読み込み手段が読み込んだ文章情報、図形情報およびそれぞれの属性情報を編集する情報編集手段と、
　前記情報編集手段が編集した文章情報、図形情報およびそれぞれの属性情報の編集結果を、前記記憶手段に記憶された文章情報、図形情報およびそれぞれの属性情報に反映させる情報格納手段と、
　前記情報編集手段による編集前の文章情報、図形情報およびそれぞれの属性情報と編集後の文章情報、図形情報およびそれぞれの属性情報との差分を獲得する差分獲得手段と、
　前記差分獲得手段によって得られた差分に基づいて、前記差分の表示属性を変更して文章情報および図形情報を表示する表示手段と
　を有することを特徴とするドキュメンテーシヨン編集装置における差分表示装置。」
を、
　「【請求項７】文章および図形を扱うドキュメンテーシヨン編集装置におけ差分表示装置において、
　文章情報、図形情報およびそれぞれの属性情報を記憶する記憶手段と、
　前記記憶手段から文章情報、図形情報およびそれぞれの属性情報を読み込む情報読み込み手段と、
　前記情報読み込み手段が読み込んだ文章情報、図形情報およびそれぞれの属性情報を編集する情報編集手段と、
　前記情報編集手段が編集した文章情報、図形情報およびそれぞれの属性情報の編集結果を、前記記憶手段に記憶された文章情報、図形情報およびそれぞれの属性情報に反映させる情報格納手段と、
　前記情報編集手段による編集前の文章情報、図形情報およびそれぞれの属性情報と編集後の文章情報、図形情報およびそれぞれの属性情報と
を比較して、該編集前の文章情報、図形情報およびそれぞれの属性情報と該編集後の文章情報、図形情報およびそれぞれの属性情報と
　前記差分獲得手段によって得られた差分に基づいて、前記差分の表示属性を変更して文章情報および図形情報を表示
して前記差分を示す
　を有することを特徴とするドキュメンテーシヨン編集装置における差分表示装置。」
と訂正する。
　
（ｈ）特許請求の範囲の請求項８
　「【請求項８】回路図およびプリント基板レイアウト図を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報び論理情報との差分を獲得する差分獲得手段と、
　前記差分獲得手段によって得られた差分に基づいて、前記差分の表示属性を変更して図形情報を表示する表示手段と
　を有することを特徴とする回路図およびプリント基板レイアウト図を扱うＣＡＤシステムにおける差分表示装置。」
を、
　「【請求項８】回路図およびプリント基板レイアウト図を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報び論理情報と
を比較して、該編集前の図形情報および論理情報と該編集後の図形情報および論理情報と
　前記差分獲得手段によって得られた差分に基づいて、前記差分の表示属性を変更して図形情報を表示
して前記差分を示す
　を有することを特徴とする回路図およびプリント基板レイアウト図を扱うＣＡＤシステムにおける差分表示装置。」
と訂正する。
　
（ｉ）特許請求の範囲の請求項９
　「【請求項９】回路図作成・編集可能なＣＡＤシステムおよびプリント基板.レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、プリント基板レイアウト図情報の中で回路図情報と異なる部分の表示属性を前記設定手段により設定された表示方法に従って変更し、プリント基板レイアウト図情報の中の図形情報を表示する表示手段と
　を有することを特徴とする回路図作成・編集可能なＣＡＤシステムおよびプリント基板レイアウト図作成・編集可能なＣＡＤシステムにおける差分表示装置。」
を、
　「【請求項９】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、プリント基板レイアウト図情報の中で回路図情報と異なる部分の表示属性を前記設定手段により設定された表示方法に従って変更し
て
し、該異なる部分を表示
　を有することを特徴とする回路図作成・編集可能なＣＡＤシステムおよびプリント基板レイアウト図作成・編集可能なＣＡＤシステムにおける差分表示装置。」
と訂正する。
　
（ｊ）特許請求の範囲の請求項１０
　「【請求項１０】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、回路図情報の中でプリント基板レイアウト図情報と異なる部分の表示属性を前記設定手段により設定されたた表示方法に従って変更し、回路図情報の中の図形情報を表示する表示手段と
　を有することを特徴とする回路図作成・編集可能なＣＡＤシステムおよびプリント基板レイアウト図作成・編集可能なＣＡＤシステムにおける差分表示装置。」
を、
　「【請求項１０】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、回路図情報の中でプリント基板レイアウト図情報と異なる部分の表示属性を前記設定手段により設定された表示方法に従って変更し
て
し、該異なる部分を表示
　を有することを特徴とする回路図作成・編集可能なＣＡＤシステムおよびプリント基板レイアウト図作成・編集可能なＣＡＤシステムにおける差分表示装置。」
と訂正する。
　
（ｋ）特許請求の範囲の請求項１１
　「【請求項１１】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　回路図作成・編集可能なＣＡＤシステムにおいて、階層設計された回路図情報を表現するための階層設計データ管理・表示手段と、
　回路図作成・編集可能なＣＡＤシステムにおいて、複数ページから構成される回路図情報を表現するための回路図情報管理・表示手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較する比較手段と、
　前記比較手段によって得られた比較結果に基づき、回路図情報の中でプリント基板レイアウト図情報と異なる部分の表示属性を変更して、回路図情報の中の図形を表示する表示手段と、
　前記表示手段に表示する際に、階層設計されている回路図情報の場合に、どの階層において変更が生じたかを表示する変更階層表示手段と、
　前記表示手段に表示する際に、複数ページから構成される回路図情報の場合に、どのページにおいて変更が生じたかを表示する変更ページ表示手段と
　を有することを特徴とする回路図作成・編集可能なＣＡＤシステムおよびプリント基板レイアウト図作成・編集可能なＣＡＤシステムにおける差分表示装置。」
を、
　「【請求項１１】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　回路図作成・編集可能なＣＡＤシステムにおいて、階層設計された回路図情報を表現するための階層設計データ管理・表示手段と、
　回路図作成・編集可能なＣＡＤシステムにおいて、複数ページから構成される回路図情報を表現するための回路図情報管理・表示手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較する比較手段と、
　前記比較手段によって得られた比較結果に基づき、回路図情報の中でプリント基板レイアウト図情報と異なる部分の表示属性を変更して回路図情報の中の図形を表示
し、該異なる部分を表示
　前記表示手段に表示する際に、階層設計されている回路図情報の場合に、どの階層において変更が生じたかを表示する変更階層表示手段と、
　前記表示手段に表示する際に、複数ページから構成される回路図情報の場合に、どのページにおいて変更が生じたかを表示する変更ページ表示手段と
　を有することを特徴とする回路図作成・編集可能なＣＡＤシステムおよびプリント基板レイアウト図作成・編集可能なＣＡＤシステムにおける差分表示装置。」
と訂正する。
　
（ｌ）明細書段落【００１７】
　明細書段落【００１７】の記載を、
　「【００１７】
【課題を解決するための手段】上記目的を達成するために、本発明における差分表示装置は、論理情報を持つ図形情報を扱う図形編集装置における差分表示装置において、図形情報および論理情報を記憶する記憶手段と、上記記憶手段から図形情報および論理情報を読み込む情報読み込み手段と、上記情報読み込み手段が読み込んだ図形情報および論理情報を編集する情報編集手段と、上記情報編集手段が編集した図形情報および論理情報の編集結果を、上記記憶手段に記憶された図形情報および論理情報に反映させる情報格納手段と、上記情報編集手段による編集前の図形情報および論理情報と編集後の図形情報および論理情報とを比較して、該編集前の図形情報および論値情報と該編集後の図形情報および論理情報との差分を獲得する差分獲得手段と、上記差分獲得手段によって得られた差分に基づいて、上記差分の表示属性を変更して図形情報を表示して前記差分を示す表示手段とを有するようにしたものである。」
と訂正する。　
　
（ｍ)明細書段落【００２８】
　明細書段落【００２８】の記載を、
　「【００２８】また、データベースＢ１に記憶された論理情報とデータベースＢ２に記憶された図形情報とにおいても、データベースＡ１に記憶された論理情報とデータベースＡ２に記憶された図形情報と同様に、一つのオブジェクトがそれぞれ固有の識別番号（ＩＤ）を持っており、そのオブジェクトの論理情報と図形情報とが関係づけられるという構造を備えている。」
と訂正する。
　
（ｎ）明細書段落【０１１０】
　明細書段落【０１１０】の記載を
　「【０１１０】図８には、ファイルマネージャによる一般的な表示例が示されているが、ここにおいて、ファイルアイコンとは、図８のｆｉｌｅ＊／ｄｉｒ＊を含む図形を称するものとする。」
と訂正する。
　
（２）訂正の目的の適否、新規事項の有無及び拡張・変更の存否
　上記訂正事項（ａ）〜（ｋ）は、願書に添付した明細書に記載された事項の範囲内において訂正するものであり、特許請求の範囲の減縮に該当し、新規事項の追加に該当しない。
　上記訂正事項（ｌ）〜（ｎ）は、誤記の訂正及び明瞭でない記載の釈明を目的として、願書に添付した明細書に記載された事項の範囲内のおいて訂正するものであり、新規事項の追加に該当しない。
　そして、上記訂正は、実質上特許請求の範囲を拡張し、変更するものでもない。
　
（３）以上のとおりであるから、上記訂正は、特許法第１２０条の４第２項及び同３項において準用する同法第１２６条第２項及び同第３項の規定に適合するので、当該訂正を認める。
　
３．本件発明
　本件請求項１〜１３に係る発明は、特許請求の範囲の請求項１〜１３に記載された事項により特定される次のとおりのものである。
　
【請求項１】論理情報を持つ図形情報を扱う図形編集装置における差分表示置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報とを比較して、該編集前の図形情報および論値情報と該編集後の図形情報および論理情報との差分を獲得する差分獲得手段と、
　前記差分獲得手段によって得られた差分に基づいて、前記差分の表示属性を変更して図形情報を表示して前記差分を示す表示手段と
　を有することを特徴とする図形編集装置における差分表示装置。
　
【請求項２】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記記情報編集手段による編集前の論理情報と編集後の論理情報とを比較して、該編集前の論理情報と該編集後の論理情報との差分を獲得する差分獲得手段と、
　前記差分獲得手段によって得られた差分に基づいて、前記差分の表示属性を変更して図形情報を表示して前記差分を示す表示手段と
　を有することを特徴とする図形編集装置における差分表示装置。
　
【請求項３】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報情報編集手段と、
　前記情報編集手段が編集した図形情報および論理情報の編集結果を、前記記憶手段に記憶された図形情報および論理情報に反映させる情報格納手段と、
　前記情報編集手段による編集の前後における差分を獲得する際の基準を、論理情報を対象にするか、論理情報および図形情報を対象にするかを選択する基準選手段と、
　前記基準選択手段により選択された基準に従って、前記情報編集手段による編集の前後において比較を行い、前記情報編集手段による編集の前後における差分を獲得する差分獲得手段と、
　前記差分獲得手段によって得られた差分に基づいて、前記差分の表示属性を変更して図形情報を表示して前記差分を示す表示手段と
　を有することを特徴とする図形編集装置における差分表示装置。
　
【請求項４】第一のシステムと第二のシステムとを有して構成される論理情報を持つ図形情報を扱う図形編集装置における差分表示装置において、
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む第二のシステム情報読み込み手段と、
　前記第一のシステム情報読み込み手段で読み込まれた第一のシステムにおける図形情報および論理情報と、前記第二のシステム情報読み込み手段で読み込まれた第二のシステムにおける図形情報および論理情報とを比較して、異なる部分を表す差分情報を得る比較手段と、
　前記比較手段によって得られた差分情報の表示方法を設定する設定手段と、
　前記比較手段によって得られた差分情報に基づいて、第一のシステムにおける図形情報報および論理情報の中で第二のシステムにおける図形情報および論理情報と異なる部分の表示属性を前記設定手段により設定された表示方法に従って変更し
て
　を有することを特徴とする図形編集装置における差分表示装置。
　
【請求項５】論理情報を持つ図形情報を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報とを比較して、該編集前の図形情報および論値情報と該編集後の図形情報および論理情報との差分を獲得する差分獲得手段と、
　前記差分獲得手段によって得られた差分に基づいて、前記差分の表示属性を変更して図形情報を表示して前記差分を示す表示手段と
　を有することを特徴とするＣＡＤシステムにおける差分表示装置。
　
【請求項６】第一のシステムと第二のシステムとを有して構成される論理情報を持つ図形情報を扱うＣＡＤシステムにおける差分表示装置において
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む二のシステム情報読み込み手段と、
　前記第一のシステム情報読み込み手段で読み込まれた第一のシステムにおける図形情報および論理情報と、前記第二のシステム情報読み込み手段で読み込まれ第二のシステムにおける図形情報および論理情報とを比較して、異なる部分を表す差分情報を得る比較手段と、
　前記記比較手段によって得られた差分情報の表示方法を設定する設定手段と、
　前記比較手段によって得られた差分情報に基づいて、第一のシステムにおける図形情報および論理情報の中で第二のシステムにおける図形情報および論理情報と異なる部分の表示属性を前記設定手段により設定された表示方法に従って変更して第一のシステムにおける図形情報を表示し、該異なる部分を表示する表示手段と
　を有することを特徴とするＣＡＤシステムにおける差分表示装置。」
　
【請求項７】文章および図形を扱うドキュメンテーシヨン編集装置におけ差分表示装置において、
　文章情報、図形情報およびそれぞれの属性情報を記憶する記憶手段と、
　前記記憶手段から文章情報、図形情報およびそれぞれの属性情報を読み込む情報読み込み手段と、
　前記情報読み込み手段が読み込んだ文章情報、図形情報およびそれぞれの属性情報を編集する情報編集手段と、
　前記情報編集手段が編集した文章情報、図形情報およびそれぞれの属性情報の編集結果を、前記記憶手段に記憶された文章情報、図形情報およびそれぞれの属性情報に反映させる情報格納手段と、
　前記情報編集手段による編集前の文章情報、図形情報およびそれぞれの属性情報と編集後の文章情報、図形情報およびそれぞれの属性情報とを比較して、該編集前の文章情報、図形情報およびそれぞれの属性情報と該編集後の文章情報、図形情報およびそれぞれの属性情報との差分を獲得する差分獲得手段と、
　前記差分獲得手段によって得られた差分に基づいて、前記差分の表示属性を変更して文章情報および図形情報を表示して前記差分を示す表示手段と
　を有することを特徴とするドキュメンテーシヨン編集装置における差分表示装置。
　
【請求項８】回路図およびプリント基板レイアウト図を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報び論理情報とを比較して、該編集前の図形情報および論理情報と該編集後の図形情報および論理情報との差分を獲得する差分獲得手段と、
　前記差分獲得手段によって得られた差分に基づいて、前記差分の表示属性を変更して図形情報を表示して前記差分を示す表示手段と
　を有することを特徴とする回路図およびプリント基板レイアウト図を扱うＣＡＤシステムにおける差分表示装置。
　
【請求項９】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、プリント基板レイアウト図情報の中で回路図情報と異なる部分の表示属性を前記設定手段により設定された表示方法に従って変更してプリント基板レイアウト図情報の中の図形情報を表示し、該異なる部分を表示する表示手段と
　を有することを特徴とする回路図作成・編集可能なＣＡＤシステムおよびプリント基板レイアウト図作成・編集可能なＣＡＤシステムにおける差分表示装置。
　
【請求項１０】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、回路図情報の中でプリント基板レイアウト図情報と異なる部分の表示属性を前記設定手段により設定された表示方法に従って変更し
て
　を有することを特徴とする回路図作成・編集可能なＣＡＤシステムおよびプリント基板レイアウト図作成・編集可能なＣＡＤシステムにおける差分表示装置。
　
【請求項１１】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　回路図作成・編集可能なＣＡＤシステムにおいて、階層設計された回路図情報を表現するための階層設計データ管理・表示手段と、
　回路図作成・編集可能なＣＡＤシステムにおいて、複数ページから構成される回路図情報を表現するための回路図情報管理・表示手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較する比較手段と、
　前記比較手段によって得られた比較結果に基づき、回路図情報の中でプリント基板レイアウト図情報と異なる部分の表示属性を変更して回路図情報の中の図形を表示し、該異なる部分を表示する表示手段と、
　前記表示手段に表示する際に、階層設計されている回路図情報の場合に、どの階層において変更が生じたかを表示する変更階層表示手段と、
　前記表示手段に表示する際に、複数ページから構成される回路図情報の場合に、どのページにおいて変更が生じたかを表示する変更ページ表示手段と
　を有することを特徴とする回路図作成・編集可能なＣＡＤシステムおよびプリント基板レイアウト図作成・編集可能なＣＡＤシステムにおける差分表示装置。　
　
【請求項１２】ファイル管理、ツール管理をアイコンによって行うオペレーティングシステムにおける差分表示装置において、
　種々のアプリケーションソフトウェアをインストールやアップデートなどによって環境の設定／変更を実施する際に、ファイルならびにツールを意味するアイコンに関係付けられている論理情報に変更が生じた場合に、変更による差分情報と履歴情報とを抽出し保存する差分管理手段と、
　変更が生じたことをアイコンの表示属性を変更してアイコン上に表示する表示手段と
　を有することを特徴とするファイル管理、ツール管理をアイコンによって行うオペレーティングシステムにおける差分表示装置。」
　
【請求項１３】画面に表示されたユーザーインターフェースオブジェクト操作子を用いて操作し、ファイル管理、ツール管理などのツールの操作を行うオペレーティングシステムにおける差分表示装置において、
　種々のアプリケーションソフトウエアをインストールやアップデートなどによって環境の設定／変更を実施する際に、ユーザーインターフェースオブジェクトに関係付けられている論理情報に変更が生じた場合に、変更による差分情報と履歴情報とを抽出し保存する差分管理手段と、
　変更が生じたことをユーザーインターフェースオブジェクトの表示属性を変更してユーザーインターフェースオブジェクト上に表示する表示手段と
　を有することを特徴とする画面に表示されたユーザーインターフェースオブジェクトを操作子を用いて操作し、ファイル管理、ツール管理などのツールの操作を行うオペレーティングシステムにおける差分表示装置。
　
　なお、請求項１と５において、「論値情報」とあるが、これは明らかに「論理情報」の誤記と認められるから、以降は、「論理情報」と解釈し論を進めることにする。
　
４．特許異議申立て理由の概要
　申立人金森英彦は、証拠として
（１）甲第１号証
　特開平５−２７４３７９号公報
（２）甲第２号証
　特開平７−９３３８７号公報
（３）甲第３号証
　特開平７−８４７４８号公報
を提出し、
　請求項１〜３、５、７〜１０に係る発明は、甲第１号証に記載された発明に基づいて当業者が容易に発明し得るものであり、
　請求項４、６、１１に係る発明は、甲第１号証及び甲第２号証に記載された発明に基づいて当業者が容易に発明し得るものであり、
　そして、請求項１２及び１３に係る発明は、甲第３号証に記載された発明に基づいて当業者が容易に発明し得るものであるから、特許法第２９条第２項の規定に違反してなされたものであり、したがって、特許を取り消すべき旨主張している。
　
５．引用刊行物記載の発明
（１）刊行物１
　当審が通知した取消理由に引用した特開平５−２７４３７９号公報（以下「刊行物１」という。）（甲第１号証）には、図面と共に次の事項が記載されている。
　
（ア）「【０００１】
【産業上の利用分野】この発明は、ＣＡＤ（計算機支援設計）システムで作成した図面（以下、ＣＡＤ図面と称する）を改変する場合、或いは既存のＣＡＤ図面の一部を修正して新たな図面を作成する場合に、新旧両図面の相違を把握するのに好適なＣＡＤ図面変更管理支援装置に関する。」（第２頁段落【０００１】）
　
（イ）「【００１２】この発明は上記事情に鑑みてなされたものでその目的は、ＣＡＤデータの改変履歴管理が、その主要な３種のリスト（シンボルリスト、シンボル配置リストおよびネットリスト）のそれぞれの性質に合わせて適切に行え、新旧のＣＡＤ図面の相違箇所の判別が容易且つ確実に行えるＣＡＤ図面変更管理支援装置を提供することにある。」第３頁段落【００１２】）
　
（ウ）「【００１６】即ち、シンボルリストに関しては、本来作画機能とは独立操作され、作画に先立って改変され、ライブラリとして全体の世代番号（バージョン、レビジョン）の更新が行われる点に着目し、更に個々のシンボル改変毎に該当するシンボルデータの世代番号がシンボルリスト保守手段内の管理手段（第１の世代管理手段）によって更新されるようにしている。
【００１７】また、作画にあたり図面全体の属性として使用されたシンボルリストの全体世代番号を登録・呼出し可能とすることにより、シンボル使用時に改変されたものか否かが判別できるようにしている。
【００１８】次に、シンボル配置手段によるシンボル配置時には、シンボル配置リストの個々のシンボル配置データに同様に属性（世代番号）を付与する。この一連のシンボル配置処理時には、図面全体の世代番号とシンボルリスト全体の世代番号との比較により、配置されるシンボル（利用シンボル）が改変されているか否かをシンボル配置手段内の判別手段にて判別し、改変が判別されたなら、シンボル配置位置等が同一であっても改変されたとして扱い、シンボル配置手段内の管理手段（第２の世代管理手段）により、図面全体の世代番号が更新される。
【００１９】次に、ネットリストに関しては、接続、切断によりネットの構成がその都度変化するので、シンボルリストやシンボル配置リストのような管理はできない。そこで本発明では、接続、切断が発生するとノードの分岐属性（分岐数、分岐方向）が変化することに着目し、ネットリスト再構築手段が新旧のネットリストを対象に相対応するノードの分岐属性を比較し、分岐属性が変らないノードは削除し、残ったノードを有するネットが改変されたと判別するようにしている。
【００２０】以上により、シンボルリスト、シンボル配置リストおよびネットリストそれぞれの固有の改変部分が判別可能となるため、その判別部分を他の部分と異なる形態で表示・印字に反映することで、ＣＡＤデータの改変部分が容易に把握可能となる。」（第３頁段落【００１６】〜【００２０】）
　
（エ）「【００２４】５は図面データ（ＣＡＤ図面ファイルであり、図面全体の属性を定義するための図面属性５０、ＣＡＤ図面上の各シンボルの位置等を表わすシンボル配置データの集合であるシンボル配置リスト６０、およびＣＡＤ図面に付されるコメントの集合であるコメントリスト７０を持つ。
【００２５】６はコメントリスト７０の改変保守を司るコメント保守機構、７はシンボル配置リスト６０で示される配置シンボル（で表現された部品の各ピン）間の接続関係を示すネットリスト、８はＣＡＤ図面の改変毎に起動されてネットリスト７を再構築するネットリスト再構築機構である。」（第４頁段落【００２４】、【００２５】）
　
（オ）「【００３４】図４は図１のネットリスト７のデータ構造を示す。図に示すように、ネットリスト７は、ＣＡＤ図面上に配置される各シンボルのピン位置に対応するノード（節点、接続点）に付されたノード名７１、そのノードが属するネットの番号（ネット番号７２）、およびそのノードの分岐数、分岐方向等の種別（分岐属性）を表わすタイプ７３の組が、ＣＡＤ図面上の全ノードについて登録されたものである。ここでネットとは、互いに接続関係を持つノードの集合、即ちひとまとまりの配線単位をいう。図５は、図４に示すタイプ７３により識別されるノードの種類を整理して示したものである。」（第４頁段落【００３４】）
　
（カ）「【００３７】シンボルリスト保守機構１においては、設計者等の利用者からのキーボード、マウス等（図示せず）の操作によりシンボル作成・登録が要求されたならば、シンボル作成機構１１およびシンボル登録機構１２が交互に起動され、一連のシンボル作成・登録作業が行われる（ステップS1）。（中略）
【００３９】次に、一度作成・登録されたシンボルの改変（削除、修正）が要求されたならば、シンボル削除機構１３による削除処理（該当シンボルデータ２２の削除）またはシンボル修正機構１４による修正処理（該当シンボルデータ２２中の形状データ２３の修正等）が、要求された各シンボル（のシンボルデータ２２）について繰返し行われる（ステップＳ２）。このとき、修正処理が行われた場合であれば、該当シンボルデータ２２中のシンボル世代番号２４３が世代管理機構１５により更新される。そしてステップS2が全て終了すると、即ち一連の修正作業が終了すると、世代管理機構１５により、シンボルリスト２のシンボル全体世代番号２１が一度更新される（ステップＳ３）。このステップＳ３は、シンボル作成・登録作業だけが行われた場合にも実行される。【００４０】このように本実施例では、一度作成・登録されたシンボルが改変された場合には、シンボル全体世代番号２１と、改変されたシンボルのシンボルデータ２２の世代番号２４３とが更新される。ここで、一連のシンボル修正作業中は、シンボル全体世代番号２１は一度しか更新されない。」（第５頁段落【００３７】〜【００４０】）
　
（キ）「【００４１】次に、シンボル配置機構４を中心とする動作を、図７のフローチャートを適宜参照して説明する。既存のＣＡＤ図面を作成する場合には、まず既存図面作画機構３が起動され、同機構３内の既存図面読込み機構３１により既存のＣＡＤ図面の図面データ５およびネットリスト７が読込まれる（ステップＳ１１）。次にシンボル配置機構が起動され、同機構４内のシンボルリスト読み込み機構４１によりシンボルリスト２が読込まれる（ステップＳ１２）。既存図面作画機構３は、上記読込まれた図面データ５、ネットリスト７およびネットリスト７をもとに、既存のＣＡＤ図面を作画する（ステップＳ１３）。
（中略）
【００４３】もし旧図より新しいシンボルであると判断された場合には、世代管理機構４６によって（図面データ５の図面属性５０中の）上記図面世代番号５１がシンボル全体世代番号２１の値に更新される。このとき、シンボル配置リスト６０内の各シンボル配置データ６１中の世代番号６４３も、世代管理機構４６によって全て更新される（ステップＳ１５）。
【００４４】さて、既存のＣＡＤ図面の改変等のためにシンボルの再配置が要求されている場合には、その要求内容に応じてシンボル配置追加機構４２、シンボル配置削除機構４３またはシンボル配置移動機構４４が起動されて、シンボル配置の追加、削除または移動が行われ、図面データ５のシンボル配置リスト６０が更新される（ステップＳ１６）。これにより、追加であれば新たなシンボル配置データ６１がシンボル配置リスト６０に登録され、削除であれば該当シンボル配置データ６１が削除される。移動であれば該当シンボル配置データ６１中のシンボル位置データ６３が書替えられる。そして移動時には、該当シンボル配置データ６１中の世代番号６４３が世代管理機構４６により更新される（ステップＳ１７）。
【００４５】また、コメントの修正が要求されている場合には、コメント保守機構６が起動される。コメント保守機構６は、利用シンボル世代チェック機能を持たない点を除き、シンボル配置機構４と同様の構成を有しており、コメントリスト７０を対象に、コメントの追加、削除または移動を行う（ステップＳ１８）。コメントリスト７０中の各コメントデータには、（シンボル配置データ６１中の世代番号６４３に相当する）世代番号が含まれており、そのコメントが移動された場合には、そのコメントの世代番号が更新される（ステップＳ１９）。
【００４６】さて、上記したシンボル再配置が行われ、更に回路の接続が完了すると、ネットリスト再構築機構８によりネットリスト７の再構築が行われる（ステップＳ２０）。このネットリスト再構築機構８の動作について図８の回路接続図を参照して説明する。」（第５頁段落【００４１】〜第６頁段落【００４６】）
（ク）「【００５２】このように、ＣＡＤ図面が改変され、ノード間の接続や切断が発生すると、ノードの分岐属性が変化する。このため、分岐属性が変化するノードをネットリスト再構築機構８にて検出することにより、そのノードを含むネットは今回の改変が加わったものと判別できる。図８の例では、ａ４，ａ５，ｂ２（ａ８），ｂ３（ａ９）を含むネットＮが改変の影響を受けたものと判別される。
【００５３】以上の判別は、具体的には次のように行われる。即ちネットリスト再構築機構８は、まず改変前のネットリスト７と改変後のネットリスト７について、相対応するノード（のノード名７１）毎にその分岐属性を示すタイプ７３を比較し、一致していれば分岐属性が変化していないものとして、そのノードを消去する。また、タイプ７３が一致していなければ、分岐属性が変化しているものとして、そのノードを残す。この結果、残ったノードを有する回路部分（ネット）が改変されたものと判別される。」（第６頁段落【００５２】〜【００５３】）
　
（ケ）「【００５５】さて、以上のようにして、利用シンボル、シンボル配置、コメント、ネットリストの各々について改変が把握できると、これらはＣＡＤデータの基本データであるため、図面の表示や印字上でも、この単位で表現でき、且つ表示・印字可能である。
【００５６】つまり、変更・修正が検出されたシンボルには、例えばハッチングや網かけを施したり、変更があった回路部分（ネット）を太く表現するといった強調表現により、検図者の注意を促すことが可能となる。なお、検図完了時には、正式図として、上記の強調表現を本来の状態に戻して出力することもできる。」（第６頁段落【００５５】〜【００５６】）
　
（コ）【００５７】
【発明の効果】以上詳述したようにこの発明によれば、電気系ＣＡＤの主要な３リスト、即ちシンボルリスト、シンボル配置リストおよびネットリストの個々の性質に合った世代管理・判別機能をそれぞれに用意し組合わせる構成としたので、ＣＡＤデータの各種の改変部分の検出が容易に行えるようになり、その検出部分を表示画面等に反映することで、新旧のＣＡＤ図面の相違箇所が容易に且つ確実に把握できる。
【００５８】また、この発明によれば、ＣＡＤデータについて（イメージではなくて）原データ単位に改変の把握ができることから、例えばシンボル形状は同じでも名称や形式の文字の一部分が修正された場合には、配置されたシンボル全体の修正として確認できる。これにより、部品変更を確実に認識でき、設計者の図面認識のレベルと一致する。
【００５９】更に本発明によれば、部品間の接続を示すネットの変更では、その回路全体の点検範囲を検出して示すことができるため、チェック漏れをより少なくすることが可能である。」（第６頁段落【００５７】〜【００５９】）
　
　以上の記載からみて、刊行物１には、次の事項が記載されている。
　既存図面の書き換え変更に伴うシンボルリスト及びシンボル配置リストの改変を検出し、該シンボルリスト及びシンボル配置リストを更新し、また既存図面の書き換え変更に伴うネットリストの改変をも把握し該ネットリストの再構築を行い、そして新旧の図面の改変部分をその他の部分と異なる形態で表示・印字するＣＡＤ図面変更管理支援装置であって、
　シンボルリスト、シンボル配置リスト、ネットリスト、及びコメントリストを記憶装置に記憶しておき、シンボルリスト、シンボル配置リスト、及びネットリストを該記憶装置から読み込み、
　ＣＡＤ図面の改変に伴いこれらのリストを編集し、ＣＡＤ図形の書き換え変更に伴うシンボルリスト及びシンボル配置リストの変更に対し、該リストの更新を行い、
　また、ＣＡＤ図形の書き換え変更に伴うネットリストの変更に対し、ネットリストの再構築を行い、書き換え変更前のＣＡＤ図形と書き換え変更後のＣＡＤ図形のそれぞれのシンボルリスト、シンボル配置リスト、ネットリストを比較し、改変前後のシンボルリスト、シンボル配置リスト、ネットリストの改変部分を検出・把握することにより、シンボルリスト、シンボル配置リスト、ネットリストの改変部分に基づいて改変部分の表示属性を変更して、該改変部分を他の部分と異なる形態で図形情報を表示するＣＡＤ図面変更管理支援装置。
　
（２）刊行物２
　当審が通知した取消理由に引用した特開７−９３３８７号公報（以下「刊行物２」という。）（甲第２号証）には、
　互いに独立して実行処理が可能であり時間的な差を持ちながら段階的に実行が開始される回路設計実行手段、シミュレーション実行手段、及び実装設計手段と、
　前記各設計実行手段によって呼び出される回路設計データベース、シミュレーションデータベース、及び実装設計データベースと、
　前記各設計実行手段および各設計データベースと接続されＣＡＤの全体工程を管理する工程管理部とからなり、
　前記工程管理部には、設計対象物の階層構造と版数とを管理し、前記いずれかの設計実行手段での設計対象物に対する設計内容の変更が、他の設計実行手段の対象物のどの部分に反映されるかを特定することによって連携先の設計実行手段を決定する設計構造管理ファイルと、
　前記各設計実行手段の間でデータを転送する場合の転送方向を規定する実行手段種別ファイルとを有し、回路設計、シミュレーション、および実装設計の各段階におけるデータの統一管理を行うＣＡＤ設計支援装置が記載されている。
　
（３）刊行物３
　当審が通知した取消理由に引用した特開平７−８４７４８号公報（以下「刊行物３」という。）（甲第３号証）には、図面と共に次の事項が記載されている。
　
（サ）「【請求項１】階層関係を構成するように関連付けられた複数のフォルダの各々を表示するときに、そのフォルダを表すアイコンとそのアイコン内に含まれた、そのフォルダに属する他のフォルダあるいは情報をそれぞれ表す複数のアイコンとを表示するフォルダ表示方法において、
　該複数のフォルダの少なくとも一つに対応して、そのフォルダが代表すべきオブジェクトの属性とその属性値を記憶し、該属性値が取り得る複数の値に対応して複数のアイコンを記憶し、
　該一つのフォルダを表示するときに、該記憶された複数のアイコンのうち、そのときのその属性の値に対応する一つのアイコンを選択し、
　選択されたアイコンをそのフォルダを表すアイコンとして表示するフォルダ表示方法。
【請求項２】請求項１において、そのフォルダの属性の値が変更されたときに、その一つのフォルダに対応して記憶された、上記属性の値に関するプログラムを実行することを特徴とするフォルダ管理方法。
【請求項３】請求項２において、ユーザが上記プログラムを記述し、
　そのプログラムをそのフォルダに対応して記憶するフォルダ管理方法。
【請求項４】請求項２において、フォルダに対応して記憶されているプログラムは、実行するための条件とその条件を満たす場合の処理から成り、フォルダの属性の値が変更された場合は、その変更を検出し、該プログラムの中で条件を満たす処理を実行することを特徴とするフォルダ管理方法。
【請求項５】請求項２において、そのフォルダのアイコン上に別のアイコンを重ねることにより、そのフォルダに対応して記憶されているプログラムを実行することを特徴とするフォルダ管理方法。
【請求項６】請求項１において、フォルダの属性の値が変更されたとき、そのフォルダのアイコン表示を変化させると同時に音でユーザにその変更を知らせることを特徴とするフォルダ表示方法。
【請求項７】請求項１において、フォルダの属性の値が変更されたとき、そのフォルダの属性の値の変更を検出し、計算機システムからユーザに文字で通知することを特徴とするフォルダ管理方法。
【請求項８】複数のフォルダが複数群に分けられ、各フォルダ群が多階層の一つを割り当てられ、各フォルダにはそのフォルダが属する階層より一つ下位の階層が割り当てられた複数のオブジェクトが属するように構成され、各オブジェクトに対応して、アイコンをあらかじめ記憶し、ユーザからの少なくとも一つのオブジェクトの表示要求に応答して、そのオブジェクトに対応して記憶されたアイコンを表示するフォルダ表示方法において、通信装置に対応するオブジェクトを設け、通信装置にアクセス可能か否かの情報を属性の値として記憶し、通信装置にアクセス可能か否かの属性値により通信装置を表すアイコンの色や形状を変化させて表示することを特徴とするフォルダ表示方法。
【請求項９】請求項８において、通信装置を表すアイコンを入力装置によって選択したとき、通信装置を表すアイコンが通信可能な状態を示している場合は該通信装置と通信するためのプログラムを起動し、通信不可能な状態を示している場合は通信するためのプログラムを起動しないことを特徴とすることを特徴とするフォルダ管理方法。
【請求項１０】複数のフォルダが複数群に分けられ、各フォルダ群が多階層の一つを割り当てられ、各フォルダにはそのフォルダが属する階層より一つ下位の階層が割り当てられた複数のオブジェクトが属するように構成され、各オブジェクトに対応して、アイコンをあらかじめ記憶し、ユーザからの少なくとも一つのオブジェクトの表示要求に応答して、そのオブジェクトに対応して記憶されたアイコンを表示するフォルダ表示方法において、いずれかの少なくとも一つのオブジェクトに対して、そのオブジェクトの属性の値としてユーザの名称、そのユーザの位置、その位置の値に対して使用すべき複数のアイコンを記憶し、その位置の新たな値の入力に応答して、その新たな値をその位置の値として記憶し、ユーザからのいずれかのタイミングで発生した、そのオブジェクトの表示要求に応答して、そのオブジェクトに対して記憶された複数のアイコンのうち、その位置の現在の値に対応する一つのアイコンを選択的に表示するフォルダ表示方法。
【請求項１１】複数のフォルダが複数群に分けられ、各フォルダ群が多階層の一つを割り当てられ、各フォルダにはそのフォルダが属する階層より一つ下位の階層が割り当てられた複数のオブジェクトが属するように構成され、各オブジェクトに対応して、アイコンをあらかじめ記憶し、ユーザからの少なくとも一つのオブジェクトの表示要求に応答して、そのオブジェクトに対応して記憶
されたアイコンを表示するフォルダ表示方法において、いずれかの少なくとも一つのオブジェクトに対して、そのオブジェクトの属性の値としてユーザにデータを配送するためのアドレスを記憶し、そのオブジェクトのアイコン上に別のデータを表すアイコンを移動させて重ねた場合に、そのオブジェクトの属性の値として記憶したユーザのアドレスにデータを配送することを特徴とするフ
ォルダ管理方法。
【請求項１２】複数のフォルダが複数群に分けられ、各フォルダ群が多階層の一つを割り当てられ、各フォルダにはそのフォルダが属する階層より一つ下位の階層が割り当てられた複数のオブジェクトが属するように構成され、各オブジェクトに対応して、アイコンをあらかじめ記憶し、ユーザからの少なくとも一つのオブジェクトの表示要求に応答して、そのオブジェクトに対応して記憶
されたアイコンを表示するフォルダ表示方法において、いずれかの少なくとも一つのオブジェクトに対して、そのオブジェクトの属性の値としてユーザにアクセス可能か否かの値を記憶し、ユーザからのいずれかのタイミングで発生した、そのオブジェクトの表示要求に応答して、そのオブジェクトに対して記憶された複数のアイコンのうち、そのユーザにアクセス可能か否かの値に対応し
てアイコンの色や形状を変化させて表示するフォルダ表示方法。
【請求項１３】複数のフォルダが複数群に分けられ、各フォルダ群が多階層の一つを割り当てられ、各フォルダにはそのフォルダが属する階層より一つ下位の階層が割り当てられた複数のオブジェクトが属するように構成され、各オブジェクトに対応して、アイコンをあらかじめ記憶し、ユーザからの少なくとも一つのオブジェクトの表示要求に応答して、そのオブジェクトに対応して記憶
されたアイコンを表示するフォルダ表示方法において、いずれかの少なくとも一つのオブジェクトに対して、そのオブジェクトの属性の値として仕事の名称、該仕事に属するユーザを記憶することを特徴とするフォルダ管理方法。
【請求項１４】請求項１３において、いずれかの少なくとも一つのオブジェクトに対して、そのオブジェクトの属性の値として仕事の名称、その仕事に属するユーザを記憶し、そのオブジェクトを表すアイコン上に別のデータを表すアイコンを移動させて重ねた場合に、その仕事に属するユーザ全員にデータを配送することを特徴とするフォルダ管理方法。
【請求項１５】請求項１３において、いずれかの少なくとも一つのオブジェクトに対して、そのオブジェクトの属性の値として仕事の名称、その仕事に属するユーザを記憶し、そのオブジェクトを表すアイコン上に別のデータを表すアイコンを移動させて重ねた場合に、その仕事に属するユーザ全員にデータを回覧することを特徴とするフォルダ管理方法。
【請求項１６】請求項１３において、いずれかの少なくとも一つのオブジェクトに対して、そのオブジェクトの属性の値として仕事の名称、その仕事に属するユーザ、その仕事に属するユーザにデータを回覧する順番を記憶し、その仕事に属するユーザにデータを回覧する順番をユーザが編集することを特徴とするフォルダ管理方法。
【請求項１７】請求項１３において、いずれかの少なくとも一つのオブジェクトに対して、そのオブジェクトの属性の値として仕事に属するユーザのグループにアクセス可能か否かの値を記憶し、ユーザからのいずれかのタイミングで発生した、そのオブジェクトの表示要求に応答して、そのユーザのグループにアクセス可能か否かの値に対応してアイコンの色や形状を変化させて表示するフォルダ表示方法。
【請求項１８】複数のフォルダが複数群に分けられ、各フォルダ群が多階層の一つを割り当てられ、各フォルダにはそのフォルダが属する階層より一つ下位の階層が割り当てられた複数のオブジェクトが属するように構成され、各オブジェクトに対応して、アイコンをあらかじめ記憶し、ユーザからの少なくとも一つのオブジェクトの表示要求に応答して、そのオブジェクトに対応して記憶されたアイコンを表示するフォルダ表示方法において、いずれかの少なくとも一つのオブジェクトに対して、そのオブジェクトの属性の値として組織の名称、その組織に属する仕事を記憶し、いずれかの少なくとも一つのオブジェクトに対して、そのオブジェクトの属性の値としてその組織に属する仕事の名称、その仕事に関係するユーザを記憶することを特徴とするフォルダ管理方法。
【請求項１９】請求項１８において、いずれかの少なくとも一つのオブジェクトに対して、そのオブジェクトの属性の値として組織の名称、その組織に属する仕事を記憶し、いずれかの少なくとも一つのオブジェクトに対して、そのオブジェクトの属性の値としてその組織に属する仕事の名称、その仕事に関係するユーザを記憶し、組織を名称とするオブジェクトを表すアイコン上に別のデータを表すアイコンを移動させて重ねた場合に、仕事を名称とするオブジェクトの属性の値として記憶されたその仕事に関係するユーザ全員にデータを配送することを特徴とするフォルダ管理方法。
【請求項２０】請求項１８において、いずれかの少なくとも一つのオブジェクトに対して、そのオブジェクトの属性の値として組織にアクセス可能か否かの値を記憶し、ユーザからのいずれかのタイミングで発生した、そのオブジェクトの表示要求に応答して、その組織にアクセス可能か否かの値に対応してアイコンの色や形状を変化させて表示するフォルダ表示方法。
【請求項２１】複数のフォルダが複数群に分けられ、各フォルダ群が多階層の一つを割り当てられ、各フォルダにはそのフォルダが属する階層より一つ下位の階層が割り当てられた複数のオブジェクトが属するように構成され、各オブジェクトに対応して、アイコンをあらかじめ記憶し、ユーザからの少なくとも一つのオブジェクトの表示要求に応答して、そのオブジェクトに対応して記憶されたアイコンを表示するフォルダ表示方法において、いずれかの少なくとも一つのオブジェクトに対して、そのオブジェクトの属性の値としてユーザの名称、ユーザの位置を記憶し、その上位の階層であるいずれかの少なくとも一つのオブジェクトに対して、そのオブジェクトの属性の値として仕事の名称、仕事に属するユーザを記憶し、その上位の階層であるいずれかの少なくとも一つのオブジェクトに対して、そのオブジェクトの属性の値として組織の名称、組織に属する仕事を記憶し、その上位の階層であるオブジェクトに対して、そのオブジェクトの属性の値として組織の名称、組織に属する組織を記憶するフォルダ管理方法。
【請求項２２】複数のフォルダが複数群に分けられ、各フォルダ群が多階層の一つを割り当てられ、各フォルダにはそのフォルダが属する階層より一つ下位の階層が割り当てられた複数のオブジェクトが属するように構成され、各オブジェクトに対応して、アイコンをあらかじめ記憶し、ユーザからの少なくとも一つのオブジェクトの表示要求に応答して、そのオブジェクトに対応して記憶
されたアイコンを表示するフォルダ表示方法において、オフィスにおける組織を表すアイコンを表示し、組織を表すアイコンの一つを入力装置で選択する操作を行なうと、新たにウィンドウを生成して、ウィンドウ内に組織内のワークグループを表す複数のアイコンを表示し、ワークグループを表すアイコンの一つを入力装置で選択する操作を行なうと、新たにウィンドウを生成して、ウィ
ンドウ内にワークグループに所属するユーザを表す複数のアイコンを表示し、ユーザを表すアイコンの一つを入力装置で選択する操作を行なうと、新たにウィンドウを生成して、ウィンドウ内にユーザの名前、現在の位置、該ユーザに属する電話、ＦＡＸ、電子メイル、文書、フォルダを含むオフィスツールを表すアイコンを表示することを特徴とするオフィスオブジェクト視覚化方法。
【請求項２３】請求項２２において、オフィスにおける組織を表すアイコンを表示し、組織を表すアイコンの一つを入力装置で選択する操作を行なうと、新たなウィンドウは生成せずに、ウィンドウ内に組織内のワークグループを表す複数のアイコンを上書きして表示し、ワークグループを表すアイコンの一つを入力装置で選択する操作を行なうと、ウィンドウ内にワークグループに所属するユーザを表す複数のアイコンを上書きして表示し、ユーザを表すアイコンの一つを入力装置で選択する操作を行なうと、ウィンドウ内にユーザの名前、現在の位置を表示し、該ユーザに属する電話、ＦＡＸ、電子メイル、文書、フォルダを含むオフィスツールを表すアイコンを上書きして表示することを特徴とするオフィスオブジェクト視覚化方法。
【請求項２４】請求項２２において、電話、ＦＡＸ、電子メイル、を含むオフィスツールが操作可能か否かによって該オフィスツールを表すアイコンを変化させて表示することを特徴とするオフィスオブジェクト視覚化方法。」（特許請求の範囲）
　
（シ）「【課題を解決するための手段】上記問題を解決するため、デスクトップにおいて新たな属性情報を持つフォルダを定義できるようにし、フォルダの属性情報や属性情報の変更に応じてそのフォルダの形状や色などを変えて表示する。また、フォルダの属性情報としてプログラムを定義できるようにし、属性情報の変化に応じた処理を行なうことができるようにする。」（第５頁左欄段落【０００７】）
　
６．対比・判断
（ｉ）請求項１に係る発明
（対比）
　請求項１に係る発明と刊行物１に記載された発明とを対比すると、
　請求項１に記載された発明の「論理情報」は、回路図における接続関係を示す情報または基板レイアウト図における接続情報を示す情報であることが発明の詳細な説明の欄に記載されているから、刊行物１に記載された発明の「ネットリスト」は、請求項１に係る発明の「論理情報」に相当することは明かである。
　また、刊行物１に記載された発明の「シンボルリスト」及び「シンボル配置リスト」は請求項１に係る発明の「図形情報」に相当することも明かである。
　刊行物１に記載された発明は、既存図面の書き換え変更に伴うシンボルリスト及びシンボル配置リストの改変を検出し、該シンボルリスト及びシンボル配置リストを更新し（前記（ア）〜（ウ）、（カ）〜（コ）参照。）、また既存図面の書き換え変更に伴うネットリストの改変をも把握し該ネットリストの再構築を行い（前記（イ）〜（オ）、（キ）〜（コ）参照。）、そして新旧の図面の改変部分をその他の部分と異なる形態で表示・印字する（前記（ウ）、（ケ）、（コ）参照。）ものであるから、論理情報を持つ図形情報を扱う図形編集装置における改変部分表示装置である点で、刊行物１に記載された発明と請求項１に係る発明との間には差異がない。
　刊行物１に記載された発明は、シンボルリスト、シンボル配置リスト、ネットリスト、及びコメントリストを記憶している（前記（エ）〜（ク）参照。）から、図形情報および論理情報を記憶する記憶手段を有する点でも刊行物１に記載された発明と本願請求項１に係る発明との間には差異がない。
　刊行物１に記載された発明は、シンボルリスト、シンボル配置リスト、及びネットリストを読み込み（前記（カ）、（キ）参照。）、ＣＡＤ図面の改変に伴いこれらのリストを編集している（前記（ウ）、（エ）、（カ）〜（ク）参照。）から、情報読み込み手段が読み込んだ図形情報および論理情報を編集する編集手段を有する点においても、刊行物１に記載された発明と請求項１に係る発明との間には差異がない。
　刊行物１に記載された発明は、ＣＡＤ図形の書き換え変更に伴うシンボルリスト及びシンボル配置リストの変更に対し、該リストの更新を行い（前記（ア）〜（ウ）、（カ）〜（コ）参照。）、また、ＣＡＤ図形の書き換え変更に伴うネットリストの変更に対し、ネットリストの再構築を行う（前記（イ）〜（オ）、（キ）〜（コ）参照。）から、図形情報および論理情報の編集結果を、記憶手段に記憶された図形情報および論理情報に反映させる情報格納手段を有する点においても、刊行物１に記載された発明と請求項１に記載された発明との間には差異がない。
　刊行物１に記載された発明は、書き換え変更前のＣＡＤ図形と書き換え変更後のＣＡＤ図形のそれぞれのシンボルリスト、シンボル配置リスト、ネットリストを比較し、改変前後のシンボルリスト、シンボル配置リスト、ネットリストの改変部分を検出・把握している（前記（ア）〜（エ）、（カ）〜（ク）参照。）から、編集前の図形情報および論理情報と編集後の図形情報および論理情報とを比較して、該編集前の図形情報および論理情報と該編集後の図形情報及び論理情報との改変部分を獲得する差分獲得手段を有する点においても、刊行物１に記載された発明と請求項１に係る発明との間には、差異がない。
　刊行物１に記載された発明は、シンボルリスト、シンボル配置リスト、ネットリストの改変部分に基づいて改変部分の表示属性を変更して、改変部分を他の部分と異なる形態で図形情報を表示している（前記（ウ）、（ケ）、（コ）参照。）から、改変獲得手段によって得られた改変に基づいて、前記改変部分の表示属性を変更して図形情報を表示して前記改変を示す表示手段を有する点において、刊行物１に記載された発明と請求項１に記載された発明との間に差異がない。
　
　そうすると、請求項１に係る発明と刊行物１に記載された発明とは、
　
（一致点）
　「論理情報を持つ図形情報を扱う図形編集装置における改変部分表示置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報とを比較して、該編集前の図形情報および論理情報と該編集後の図形情報および論理情報との改変部分を獲得する改変部分獲得手段と、
　前記改変部分獲得手段によって得られた改変部分に基づいて、前記改変部分の表示属性を変更して図形情報を表示して前記改変部分を示す表示手段と
　を有することを特徴とする図形編集装置における改変部分表示装置。」
である点で一致し、次の点で相違する。
　
（相違点）
　請求項１に係る発明が、編集前後の図形情報および論理情報の差分をとり該差分の表示属性を変更して図形を表示しているのに対し、
　刊行物１に記載された発明は、編集前後の図形情報および論理情報の改変部分を判別し該改変部分の表示属性を変更して図形を表示する点。
　
（判断）
　上記相違点を判断する。
　編集前の図形と編集後の図形を直接比較してその差分を取ることは、画像処理技術の分野においては、周知慣用されている技術常識である。
　また、論理情報の差分をとるとは、編集前の論理情報と編集後の論理情報を調べ編集前後で変化した部分を検出することであると解されるから、編集前後における論理情報の改変部分を判別することと本質的に相違はしない。
　したがって、編集前後の図形情報および論理情報の差分をとることは、刊行物１に記載された発明及び周知慣用されている技術常識とに基づいて当業者が適宜なし得ることである。
　　
（ｉｉ）請求項２に係る発明
（対比）
　請求項２に係る発明と刊行物１に記載された発明とを対比すると、
　請求項２に記載された発明の「論理情報」は、回路図における接続関係を示す情報または基板レイアウト図における接続情報を示す情報であることが発明の詳細な説明の欄に記載されているから、刊行物１に記載された発明の「ネットリスト」は、請求項２に係る発明の「論理情報」に相当することは明かである。
　また、刊行物１に記載された発明の「シンボルリスト」及び「シンボル配置リスト」は請求項２に係る発明の「図形情報」に相当することも明かである。
　刊行物１に記載された発明は、既存図面の書き換え変更に伴うシンボルリスト及びシンボル配置リストの改変を検出し、該シンボルリスト及びシンボル配置リストを更新し（前記（ア）〜（ウ）、（カ）〜（コ）参照。）、また既存図面の書き換え変更に伴うネットリストの改変をも把握し該ネットリストの再構築を行い（前記（イ）〜（オ）、（キ）〜（コ）参照。）、そして新旧の図面の改変部分を表示する（前記（ウ）、（ケ）、（コ）参照。）ものであるから、論理情報を持つ図形情報を扱う図形編集装置における改変表示装置である点で、刊行物１に記載された発明と請求項２に係る発明との間には差異がない。
　刊行物１に記載された発明は、シンボルリスト、シンボル配置リスト、ネットリスト、及びコメントリストを記憶している（前記（エ）〜（ク）参照。）から、図形情報および論理情報を記憶する記憶手段を有する点でも刊行物１に記載された発明と請求項２に係る発明との間には差異がない。
　刊行物１に記載された発明は、シンボルリスト、シンボル配置リスト、及びネットリストを読み込み（前記（カ）、（キ）参照。）、ＣＡＤ図面の改変に伴いこれらのリストを編集している（前記（ウ）、（エ）、（カ）〜（ク）参照。）から、情報読み込み手段が読み込んだ図形情報および論理情報を編集する情報編集手段を有する点においても、刊行物１に記載された発明と請求項２に係る発明との間には差異がない。
　刊行物１に記載された発明は、ＣＡＤ図形の書き換え変更に伴うシンボルリスト及びシンボル配置リストの変更に対し、該リストの更新を行い（前記（ア）〜（ウ）、（カ）〜（コ）参照。）、また、ＣＡＤ図形の書き換え変更に伴うネットリストの変更に対し、ネットリストの再構築を行う（前記（イ）〜（オ）、（キ）〜（コ）参照。）から、図形情報および論理情報の編集結果を、記憶手段に記憶された図形情報および論理情報に反映させる情報格納手段を有する点においても、刊行物１に記載された発明と請求項２に記載された発明との間には差異がない。
　刊行物１に記載された発明は、書き換え変更前のＣＡＤ図形と書き換え変更後のＣＡＤ図形のそれぞれのシンボルリスト、シンボル配置リスト、ネットリストを比較し、改変前後のシンボルリスト、シンボル配置リスト、ネットリストの改変部分を検出・把握している（前記（ア）〜（エ）、（カ）〜（ク）参照。）から、編集前の論理情報と編集後の論理情報とを比較して、該編集前の論理情報と該編集後の論理情報との改変部分を獲得する改変部分獲得手段を有する点においても、刊行物１に記載された発明と請求項２に係る発明との間には、差異がない。
　刊行物１に記載された発明は、シンボルリスト、シンボル配置リスト、ネットリストの改変部分に基づいて、改変部分の表示属性を変更して図形情報を表示している（前記（ウ）、（ケ）、（コ）参照。）から、改変部分獲得手段によって得られた改変部分に基づいて、改変部分の表示属性を変更して図形情報を表示して前記改変部分を示す表示手段を有する点においても、刊行物１に記載された発明と請求項２に記載された発明との間に差異がない。
　
　そうすると、請求項２に係る発明と刊行物１に記載された発明とは、
　
（一致点）
　「論理情報を持つ図形情報を扱う図形編集装置における改変部分表示装置において、
　図形情報および論理情報を記憶する記憶手段と、
　前記記憶手段から図形情報および論理情報を読み込む情報読み込み手段と、
　前記記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記記情報編集手段による編集前の論理情報と編集後の論理情報とを比較して、該編集前の論理情報と該編集後の論理情報との改変部分を獲得する改変部分獲得手段と、
　前記改変部分獲得手段によって得られた改変部分に基づいて、前記改変部分の表示属性を変更して図形情報を表示して前記改変部分を示す表示手段と
　を有することを特徴とする図形編集装置における改変部分表示装置。」
である点で一致し、次の点で相違する。
　
（相違点）
　請求項２に係る発明が、編集前後の論理情報の差分をとり該差分の表示属性を変更して図形を表示しているのに対し、
　刊行物１に記載された発明は、編集前後の論理情報の改変部分を判別し該改変部分の表示属性を変更して図形を表示する点。
　
（判断）
　上記相違点を判断する。
　　　　　　　　　　　　　　　　　　　　　　　編集前後における論理情報の差分をとるとは、編集前の論理情報と編集後の論理情報を調べ編集前後で変化した部分を検出することであると解されるから、編集前後における論理情報の改変部分を判別することと本質的に相違はしない。
　したがって、編集前後の論理情報の差分をとることは、刊行物１に記載された発明に基づいて当業者が適宜なし得ることである。
　　
（iii）請求項３に係る発明
（対比）
　請求項３に係る発明と刊行物１に記載された発明とを対比すると、
　請求項３に記載された発明の「論理情報」は、回路図における接続関係を示す情報または基板レイアウト図における接続情報を示す情報であることが発明の詳細な説明の欄に記載されているから、刊行物１に記載された発明の「ネットリスト」は、請求項３に係る発明の「論理情報」に相当することは明かである。
　また、刊行物１に記載された発明の「シンボルリスト」及び「シンボル配置リスト」は請求項３に係る発明の「図形情報」に相当することも明かである。
　刊行物１に記載された発明は、既存図面の書き換え変更に伴うシンボルリスト及びシンボル配置リストの改変を検出し、該シンボルリスト及びシンボル配置リストを更新し（前記（ア）〜（ウ）、（カ）〜（コ）参照。）、また既存図面の書き換え変更に伴うネットリストの改変をも把握し該ネットリストの再構築を行い（前記（イ）〜（オ）、（キ）〜（コ）参照。）、そして新旧の図面の改変部分を表示する（前記（ウ）、（ケ）、（コ）参照。）ものであるから、論理情報を持つ図形情報を扱う図形編集装置における改変表示装置である点で、刊行物１に記載された発明と請求項３に係る発明との間には差異がない。
　刊行物１に記載された発明は、シンボルリスト、シンボル配置リスト、ネットリスト、及びコメントリストを記憶している（前記（エ）〜（ク）参照。）から、図形情報および論理情報を記憶する記憶手段を有する点でも刊行物１に記載された発明と請求項３に係る発明との間には差異がない。
　刊行物１に記載された発明は、シンボルリスト、シンボル配置リスト、及びネットリストを読み込み（前記（カ）、（キ）参照。）、ＣＡＤ図面の改変に伴いこれらのリストを編集している（前記（ウ）、（エ）、（カ）〜（ク）参照。）から、情報読み込み手段が読み込んだ図形情報および論理情報を編集する情報編集手段を有する点においても、刊行物１に記載された発明と請求項３に係る発明との間には差異がない。
　刊行物１に記載された発明は、ＣＡＤ図形の書き換え変更に伴うシンボルリスト及びシンボル配置リストの変更に対し、該リストの更新を行い（前記（ア）〜（ウ）、（カ）〜（コ）参照。）、また、ＣＡＤ図形の書き換え変更に伴うネットリストの変更に対し、ネットリストの再構築を行う（前記（イ）〜（オ）、（キ）〜（コ）参照。）から、図形情報および論理情報の編集結果を、記憶手段に記憶された図形情報および論理情報に反映させる情報格納手段を有する点においても、刊行物１に記載された発明と請求項３に記載された発明との間には差異がない。
　刊行物１に記載された発明は、書き換え変更前のＣＡＤ図形と書き換え変更後のＣＡＤ図形のそれぞれのシンボルリスト、シンボル配置リスト、ネットリストを比較し、改変前後のシンボルリスト、シンボル配置リスト、ネットリストの改変部分を検出・把握している（前記（ア）〜（エ）、（カ）〜（ク）参照。）から、編集前の論理情報と編集後の論理情報とを比較して、該編集前の論理情報と該編集後の論理情報との改変部分を獲得する改変部分獲得手段を有する点においても、刊行物１に記載された発明と請求項３に係る発明との間には、差異がない。
　刊行物１に記載された発明は、シンボルリスト、シンボル配置リスト、ネットリストの改変部分に基づいて、改変部分の表示属性を変更して図形情報を表示している（前記（ウ）、（ケ）、（コ）参照。）から、改変部分獲得手段によって得られた改変部分に基づいて、改変部分の表示属性を変更して図形情報を表示して前記改変部分を示す表示手段を有する点においても、刊行物１に記載された発明と請求項３に記載された発明との間に差異がない。
　
　そうすると、請求項３に係る発明と刊行物１に記載された発明とは、
　
（一致点）
　「論理情報を持つ図形情報を扱う図形編集装置における改変部分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報情報編集手段と、
　前記情報編集手段が編集した図形情報および論理情報の編集結果を、前記記憶手段に記憶された図形情報および論理情報に反映させる情報格納手段と、
　前記情報編集手段による編集の前後において比較を行い、前記情報編集手段による編集の前後における改変部分を獲得する改変部分獲得手段と、
　前記改変部分獲得手段によって得られた改変部分に基づいて、前記改変部分の表示属性を変更して図形情報を表示して前記改変部分を示す表示手段と
　を有することを特徴とする図形編集装置における改変部分表示装置。」
である点で一致し、次の点で相違する。
　
（相違点）
　請求項３に係る発明が、「編集の前後における差分を獲得する際の基準を、論理情報を対象にするか、論理情報および図形情報を対象にするかを選択する基準選択手段」を有しているのに対し、
　刊行物１に記載された発明は、ネットリスト（論理情報に相当）とシンボルリスト及びシンボル配置リスト（図形情報に相当）を対象にして各リストの改変部分を獲得しており、また改変部分を獲得する際の基準選択手段を有しない点。
　
（判断）
（差分について）
　論理情報の差分をとるとは、編集前の論理情報と編集後の論理情報を調べ編集前後で変化した部分を検出することであると解されるから、編集前後における論理情報の改変部分を判別することと本質的に相違はしない。
　したがって、論理情報の差分をとることは、当業者が適宜なし得ることである。
（基準選択手段について）
　刊行物１に記載された発明は、ネットリスト（論理情報）とシンボルリスト及びシンボル配置リスト（図形情報）の各リストの改変部分を獲得しているものである。
　しかしながら、ネットリスト（論理情報）のみの改変部分を獲得するようにするか、または、ネットリスト（論理情報）とシンボルリスト及びシンボル配置リスト（図形情報）の両リストの改変部分を獲得するようにするかは、当業者が適宜選択し得る微細な設計事項である。
　
（ｉｖ）請求項４に係る発明
（対比）
　請求項４に係る発明と刊行物１〜３に記載された発明とを対比すると、
　刊行物１〜３に記載された発明はいずれも、請求項４に記載された発明の要件である
　「前記第一のシステム情報読み込み手段で読み込まれた第一のシステムにおける図形情報および論理情報と、前記第二のシステム情報読み込み手段で読み込まれた第二のシステムにおける図形情報および論理情報とを比較して、異なる部分を表す差分情報を得る比較手段と、
　前記比較手段によって得られた差分情報の表示方法を設定する設定手段と、
　前記比較手段によって得られた差分情報に基づいて、第一のシステムにおける図形情報報および論理情報の中で第二のシステムにおける図形情報および論理情報と異なる部分の表示属性を前記設定手段により設定された表示方法に従って変更して第一のシステムにおける図形情報を表示し、該異なる部分を表示する表示する表示手段とを有する図形編集装置における差分表示装置。」
について開示しない。
　そして、請求項４に係る発明は、上記要件を有することにより、明細書記載の顕著な効果を奏するものであるから、請求項４に係る発明は、刊行物１〜３に記載された発明であるとも、刊行物１〜３に記載された発明に基いて当業者が容易に発明をすることができた発明であるともいえない。
　
（ｖ）請求項５に係る発明
（対比）
　請求項５に係る発明と刊行物１に記載された発明とを対比すると、
　請求項５に記載された発明の「論理情報」は、回路図における接続関係を示す情報または基板レイアウト図における接続情報を示す情報であることが発明の詳細な説明の欄に記載されているから、刊行物１に記載された発明の「ネットリスト」は、請求項１に係る発明の「論理情報」に相当することは明かである。
　また、刊行物１に記載された発明の「シンボルリスト」及び「シンボル配置リスト」は請求項５に係る発明の「図形情報」に相当することも明かである。
　刊行物１には、
　「【産業上の利用分野】この発明は、ＣＡＤ（計算機支援設計）システムで作成した図面（以下、ＣＡＤ図面と称する）を改変する場合、或いは既存のＣＡＤ図面の一部を修正して新たな図面を作成する場合に、新旧両図面の相違を把握するのに好適なＣＡＤ図面変更管理支援装置に関する。」（第２頁段落【０００１】）
との記載がなされているから、刊行物１に記載された発明は、ＣＡＤシステムに関する発明であることは、明かである。
　刊行物１に記載された発明は、ＣＡＤ（計算機支援設計）システムで作成した既存図面の書き換え変更に伴うシンボルリスト及びシンボル配置リストの改変を検出し、該シンボルリスト及びシンボル配置リストを更新し（前記（ア）〜（ウ）、（カ）〜（コ）参照。）、またＣＡＤ（計算機支援設計）システムで作成した既存図面の書き換え変更に伴うネットリストの改変をも把握し該ネットリストの再構築を行い（前記（イ）〜（オ）、（キ）〜（コ）参照。）、そして新旧の図面の改変部分を表示する（前記（ウ）、（ケ）、（コ）参照。）ものであるから、論理情報を持つ図形情報を扱うＣＡＤシステムにおける改変部分表示装置である点で、刊行物１に記載された発明と請求項５に係る発明との間には差異がない。
　刊行物１に記載された発明は、シンボルリスト、シンボル配置リスト、ネットリスト、及びコメントリストを記憶している（前記（エ）〜（ク）参照。）から、図形情報および論理情報を記憶する記憶手段を有する点でも刊行物１に記載された発明と請求項５に係る発明との間には差異がない。
　刊行物１に記載された発明は、シンボルリスト、シンボル配置リスト、及びネットリストを読み込み（前記（カ）、（キ）参照。）、ＣＡＤ図面の改変に伴いこれらのリストを編集している（前記（ウ）、（エ）、（カ）〜（ク）参照。）から、情報読み込み手段が読み込んだ図形情報および論理情報を編集する編集手段を有する点においても、刊行物１に記載された発明と請求項５に係る発明との間には差異がない。
　刊行物１に記載された発明は、ＣＡＤ図形の書き換え変更に伴うシンボルリスト及びシンボル配置リストの変更に対し、該リストの更新を行い（前記（ア）〜（ウ）、（カ）〜（コ）参照。）、また、ＣＡＤ図形の書き換え変更に伴うネットリストの変更に対し、ネットリストの再構築を行う（前記（イ）〜（オ）、（キ）〜（コ）参照。）から、図形情報および論理情報の編集結果を、記憶手段に記憶された図形情報および論理情報に反映させる情報格納手段を有する点においても、刊行物１に記載された発明と請求項５に記載された発明との間には差異がない。
　刊行物１に記載された発明は、書き換え変更前のＣＡＤ図形と書き換え変更後のＣＡＤ図形のそれぞれのシンボルリスト、シンボル配置リスト、ネットリストを比較し、改変前後のシンボルリスト、シンボル配置リスト、ネットリストの変更部分を検出・把握している（前記（ア）〜（エ）、（カ）〜（ク）参照。）から、編集前の図形情報および論理情報と該編集後の図形情報および論理情報とを比較して、該編集前の図形情報および論理情報と該編集後の図形情報および論理情報との改変部分を獲得する差分獲得手段を有する点においても、刊行物１に記載された発明と請求項５に係る発明との間には、差異がない。
　刊行物１に記載された発明は、シンボルリスト、シンボル配置リスト、ネットリストの改変部分に基づいて、差分の表示属性を変更して図形情報を表示している（前記（ウ）、（ケ）、（コ）参照。）から、改変部分獲得手段によって得られた改変部分に基づいて、前記改変部分の表示属性を変更して図形情報を表示して前記改変部分を示す表示手段を有する点においても、刊行物１に記載された発明と請求項５に記載された発明との間に差異がない。
　
　そうすると、請求項５に係る発明と刊行物１に記載された発明とは、
　
（一致点）
　「論理情報を持つ図形情報を扱うＣＡＤシステムにおける改変部分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報とを比較して、該編集前の図形情報および論値情報と該編集後の図形情報および論理情報との改変部分を獲得する差分獲得手段と、
　前記差分獲得手段によって得られた改変部分に基づいて、前記改変部分の表示属性を変更して図形情報を表示して前記改変部分を示す表示手段と
　を有することを特徴とするＣＡＤシステムにおける改変部分表示装置。」
である点で一致し、次の点で相違する。
　
（相違点）
　請求項５に係る発明が、編集前後の図形情報および論理情報の差分をとり該差分の表示属性を変更して図形を表示しているのに対し、
　刊行物１に記載された発明は、編集前後の図形情報および論理情報の改変部分を判別し該改変部分の表示属性を変更して図形を表示する点。
　
（判断）
　上記相違点を判断する。
　編集前の図形と編集後の図形を直接比較してその差分を取ることは、画像処理技術の分野においては、周知慣用されている技術常識である。
　また、論理情報の差分をとるとは、編集前の論理情報と編集後の論理情報を調べ編集前後で変化した部分を検出することであると解されるから、編集前後における論理情報の改変部分を判別することと本質的に相違はしない。
　したがって、編集前後の図形情報および論理情報の差分をとることは、刊行物１に記載された発明及び周知慣用されている技術常識とに基づいて当業者が適宜なし得ることである。
　
（ｖｉ）請求項６に係る発明
（対比・判断）
　請求項６に係る発明と刊行物１〜３に記載された発明とを対比すると、
　刊行物１〜３に記載された発明はいずれも、請求項６に記載された発明の要件である
　「前記第一のシステム情報読み込み手段で読み込まれた第一のシステムにおける図形情報および論理情報と、前記第二のシステム情報読み込み手段で読み込まれ第二のシステムにおける図形情報および論理情報とを比較して、異なる部分を表す差分情報を得る比較手段と、
　前記記比較手段によって得られた差分情報の表示方法を設定する設定手段と、
　前記比較手段によって得られた差分情報に基づいて、第一のシステムにおける図形情報および論理情報の中で第二のシステムにおける図形情報および論理情報と異なる部分の表示属性を前記設定手段により設定された表示方法に従って変更して第一のシステムにおける図形情報を表示し、該異なる部分を表示する表示手段とを有するＣＡＤシステムにおける差分表示装置。」
について開示しない。
　そして、請求項６に係る発明は、上記要件を有することにより、明細書記載の顕著な効果を奏するものであるから、請求項６に係る発明は、刊行物１〜３に記載された発明であるとも、刊行物１〜３に記載された発明に基いて当業者が容易に発明をすることができた発明であるともいえない。
　
（ｖｉｉ）請求項７に係る発明
（対比）
　請求項７に係る発明と刊行物１に記載された発明とを対比すると、
　ＣＡＤ（計算機支援設計システム）で作成される図面はドキュメントの概念に含まれることは明かであるから、刊行物１に記載された発明と請求項７に係る発明とは、図形を扱うドキュメンテーション編集装置である点で差異がない。
　刊行物１に記載された発明のシンボルリスト２内のシンボルデータ２２における名称２４１、ピンデータ２４２，及び世代番号２４３は、属性２４を示すデータであることが明記されており、また、シンボル配置リスト６０内のシンボル配置データ６１における名称６４２，形式６４２，及び世代番号６４３は、属性６４を示すデータであることが明記されているから、シンボルリスト及びシンボル配置リストは、属性情報を含むリストである。そして、刊行物１に記載された発明は、シンボルリスト、シンボル配置リスト、ネットリスト、及びコメントリストを記憶している（前記（エ）〜（ク）参照。）から、図形情報およびその属性情報を記憶する手段を有する点で刊行物１に記載された発明と請求項７に係る発明との間には差異がない。
　刊行物１に記載された発明は、シンボルリスト、シンボル配置リスト、及びネットリストを読み込み（前記（カ）、（キ）参照。）、ＣＡＤ図面の改変に伴いこれらのリストを編集している（前記（ウ）、（エ）、（カ）〜（ク）参照。）から、記憶手段から図形情報およびその属性情報を読み込む情報読み込み手段と、前記情報読み込み手段が読み込んだ図形情報およびそれぞれの属性情報を編集する情報編集手段を有する点においても、刊行物１に記載された発明と請求項７に係る発明とは差異がない。
　刊行物１に記載された発明は、ＣＡＤ図形の書き換え変更に伴うシンボルリスト及びシンボル配置リストの変更に対し、該リストの更新を行い（前記（ア）〜（ウ）、（カ）〜（コ）参照。）、また、ＣＡＤ図形の書き換え変更に伴うネットリストの変更に対し、ネットリストの再構築を行う（前記（イ）〜（オ）、（キ）〜（コ）参照。）から、図形情報およびそれぞれの属性情報の編集結果を、前記記憶手段に記憶された図形情報およびその属性情報に反映させる情報格納手段を有する点においても、刊行物１に記載された発明と請求項７に記載された発明との間には差異がない。
　刊行物１に記載された発明は、書き換え変更前のＣＡＤ図形と書き換え変更後のＣＡＤ図形のそれぞれのシンボルリスト、シンボル配置リスト、ネットリストを比較し、改変前後のシンボルリスト、シンボル配置リスト、ネットリストの改変部分を検出・把握している（前記（ア）〜（エ）、（カ）〜（ク）参照。）から、編集前の図形情報およびその属性情報と編集後の図形情報およびその属性情報とを比較して、該編集前の図形情報およびその属性情報と該編集後の図形情報およびその属性情報との改変部分を獲得する改変部分獲得手段を有する点においても、刊行物１に記載された発明と請求項７に係る発明との間には、差異がない。
　刊行物１に記載された発明は、シンボルリスト、シンボル配置リスト、ネットリストの改変部分に基づいて改変部分の表示属性を変更して、改変部分を他の部分と異なる形態で図形情報を表示している（前記（ウ）、（ケ）、（コ）参照。）から、改変獲得手段によって得られた改変部分に基づいて、前記改変部分の表示属性を変更して図形情報を表示して前記改変を示す表示手段を有する点において、刊行物１に記載された発明と請求項７に記載された発明との間に差異がない。
　
　そうすると、請求項７に係る発明と刊行物１に記載された発明とは、
　
（一致点）
　「図形を扱うドキュメンテーシヨン編集装置における差分表示装置において、
　図形情報およびその属性情報を記憶する記憶手段と、
　前記記憶手段から図形情報およびその属性情報を読み込む情報読み込み手段と、
　前記情報読み込み手段が読み込んだ図形情報およびその属性情報を編集する情報編集手段と、
　前記情報編集手段が編集した図形情報およびその属性情報の編集結果を、前記記憶手段に記憶された図形情報およびその属性情報に反映させる情報格納手段と、
　前記情報編集手段による編集前の図形情報およびその属性情報と編集後の図形情報およびその属性情報とを比較して、該編集前の図形情報およびその属性情報と該編集後の図形情報およびその属性情報との改変部分を獲得する改変部分獲得手段と、
　前記改変部分獲得手段によって得られた改変部分に基づいて、前記改変部分の表示属性を変更して図形情報を表示して前記改変部分を示す表示手段と
　を有することを特徴とするドキュメンテーシヨン編集装置における改変部分表示装置。」
である点で一致し、次の点で相違する。
　
（相違点）
　請求項７に係る発明が、文章および図形を扱うドキュメンテーション編集装置であり、編集前後の文章情報、図形情報およびそれぞれの属性情報の差分に基づいて、差分の表示属性を変更して文章情報および図形情報を表示するのに対し、
　刊行物１に記載された発明が、ＣＡＤ図形を扱うドキュメンテーション編集装置であり、編集前後の図形情報及びその属性情報の改変部分に基づいて、改変部分の表示属性を変更して図形情報を表示する点。
　
（判断）
（差分について）
　論理情報の差分をとるとは、編集前の論理情報と編集後の論理情報を調べ編集前後で変化した部分を検出することであると解されるから、編集前後における論理情報の改変部分を判別することと本質的に相違はしない。
　したがって、論理情報の差分をとることは、当業者が適宜なし得ることである。
　
（文章を扱う点について）
　ＣＡＤ（計算機支援設計システム）は図形情報のみならず文書情報をも扱う装置であり、また、ＣＡＤ（計算機支援設計）システムと計算機支援文章作成システム（ドキュメンテーション編集装置）とは、技術的に共通する点が多く、ＣＡＤシステムの技術事項は、直ちに、計算機支援文章作成システムに転用できることは、当該技術分野における技術常識である。
　そして、計算機支援文章作成システムにおいて編集前後の属性情報を比較して差分を取り相違箇所を分かりやすく表示することは、次の公開公報１〜３に示される如く周知である（例えば、
１．特開平７−２８７７３８号公報
２．特開平６−３１８２０２号公報
３．特開平６−１２４１９３号公報）
から、刊行物１に記載された発明と計算機支援文章作成システムにおける上記周知技術とから、請求項７に係る発明の如く構成することは、当業者が適宜なし得ることである。
　
（ｖｉｉｉ）請求項８に係る発明
（対比）
　請求項８に係る発明と刊行物１に記載された発明とを対比すると、
　請求項８に記載された発明の「論理情報」は、回路図における接続関係を示す情報または基板レイアウト図における接続情報を示す情報であることが発明の詳細な説明の欄に記載されているから、刊行物１に記載された発明の「ネットリスト」は、請求項１に係る発明の「論理情報」に相当することは明かである。
　また、刊行物１に記載された発明の「シンボルリスト」及び「シンボル配置リスト」は請求項８に係る発明の「図形情報」に相当することも明かである。
　刊行物１には、
　「【産業上の利用分野】この発明は、ＣＡＤ（計算機支援設計）システムで作成した図面（以下、ＣＡＤ図面と称する）を改変する場合、或いは既存のＣＡＤ図面の一部を修正して新たな図面を作成する場合に、新旧両図面の相違を把握するのに好適なＣＡＤ図面変更管理支援装置に関する。」（第２頁段落【０００１】）
との記載がなされているから、刊行物１に記載された発明は、改変部分を把握するのに好適なＣＡＤシステムに関する発明である。そして、刊行物１に記載された発明は、既存図面の書き換え変更に伴うシンボルリスト及びシンボル配置リストの改変を検出し、該シンボルリスト及びシンボル配置リストを更新し（前記（ア）〜（ウ）、（カ）〜（コ）参照。）、また既存図面の書き換え変更に伴うネットリストの改変をも把握し該ネットリストの再構築を行い（前記（イ）〜（オ）、（キ）〜（コ）参照。）、そして新旧の図面の改変部分を表示する（前記（ウ）、（ケ）、（コ）参照。）ものであるから、ＣＡＤシステムにおける差分論理情報を持つ図形情報を扱う図形編集装置における改変表示装置である点で、刊行物１に記載された発明と請求項８に係る発明との間には差異がない。
　刊行物１に記載された発明は、シンボルリスト、シンボル配置リスト、ネットリスト、及びコメントリストを記憶している（前記（エ）〜（ク）参照。）から、図形情報および論理情報を記憶する記憶手段を有する点でも刊行物１に記載された発明と本願請求項８に係る発明との間には差異がない。
　刊行物１に記載された発明は、シンボルリスト、シンボル配置リスト、及びネットリストを読み込み（前記（カ）、（キ）参照。）、ＣＡＤ図面の改変に伴いこれらのリストを編集している（前記（ウ）、（エ）、（カ）〜（ク）参照。）から、情報読み込み手段が読み込んだ図形情報および論理情報を編集する編集手段を有する点においても、刊行物１に記載された発明と請求項８に係る発明との間には差異がない。
　刊行物１に記載された発明は、ＣＡＤ図形の書き換え変更に伴うシンボルリスト及びシンボル配置リストの変更に対し、該リストの更新を行い（前記（ア）〜（ウ）、（カ）〜（コ）参照。）、また、ＣＡＤ図形の書き換え変更に伴うネットリストの変更に対し、ネットリストの再構築を行う（前記（イ）〜（オ）、（キ）〜（コ）参照。）から、図形情報および論理情報の編集結果を、記憶手段に記憶された図形情報および論理情報に反映させる情報格納手段を有する点においても、刊行物１に記載された発明と請求項８に記載された発明との間には差異がない。
　刊行物１に記載された発明は、書き換え変更前のＣＡＤ図形と書き換え変更後のＣＡＤ図形のそれぞれのシンボルリスト、シンボル配置リスト、ネットリストを比較し、改変前後のシンボルリスト、シンボル配置リスト、ネットリストの改変部分を検出・把握している（前記（ア）〜（エ）、（カ）〜（ク）参照。）から、編集前の図形情報および論理情報と編集後の図形情報および論理情報とを比較して、該編集前の図形情報および論理情報と該編集後の図形情報及び論理情報との改変部分を獲得する差分獲得手段を有する点においても、刊行物１に記載された発明と請求項８に係る発明との間には、差異がない。
　刊行物１に記載された発明は、シンボルリスト、シンボル配置リスト、ネットリストの改変部分に基づいて改変部分の表示属性を変更して、改変部分を他の部分と異なる形態で図形情報を表示している（前記（ウ）、（ケ）、（コ）参照。）から、改変獲得手段によって得られた改変に基づいて、前記改変部分の表示属性を変更して図形情報を表示して前記改変を示す表示手段を有する点において、刊行物１に記載された発明と請求項８に記載された発明との間に差異がない。
　
　そうすると、請求項８に係る発明と刊行物１に記載された発明とは、
　
（一致点）
　「ＣＡＤシステムにおける改変部分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報び論理情報とを比較して、該編集前の図形情報および論理情報と該編集後の図形情報および論理情報との差分を獲得する改変部分獲得手段と、
　前記改変部分獲得手段によって得られた改変部分に基づいて、前記改変部分の表示属性を変更して図形情報を表示して前記改変部分を示す表示手段と
　を有することを特徴とするＣＡＤシステムにおける改変部分表示装置。」
である点で一致し、次の点で相違する。
　
（相違点）
　請求項８に係る発明が、回路図およびプリント基板レイアウト図を扱うＣＡＤシステムであるのに対し、刊行物１に記載された発明は、ＣＡＤ図面変更管理支援装置であるが、回路図およびプリント基板レイアウト図を扱うとの明言がない点。
　
（判断）
 上記相違点を判断するに、回路図作成と基板設計とを同期して進めることは、周知である。この点については、例えば、特開平５−１９７７８３号公報参照を参照のこと。
　そして、刊行物２にも、回路設計工程、シミュレーション工程、および実装工程（実際のプリント基板上に物理的な素子を配置する工程）を同期して進めるＣＡＤシステムが開示されている。
　上記周知事項に鑑みれば、刊行物１に記載された発明のＣＡＤシステムを回路図およびプリント基板レイアウト図を扱うＣＡＤシステムとすることは、当業者が適宜なし得ることである。
　
（ｉｘ）請求項９に係る発明
（対比）
　請求項９に係る発明と刊行物１〜３に記載された発明とを対比すると、
　刊行物１〜３に記載された発明はいずれも、請求項９に記載された発明の要件である
　「回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　「前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、プリント基板レイアウト図情報の中で回路図情報と異なる部分の表示属性を前記設定手段により設定された表示方法に従って変更してプリント基板レイアウト図情報の中の図形情報を表示し、該異なる部分を表示する表示手段と
　を有することを特徴とする回路図作成・編集可能なＣＡＤシステムおよびプリント基板レイアウト図作成・編集可能なＣＡＤシステムにおける差分表示装置。」
について開示しない。
　そして、請求項９に係る発明は、上記要件を有することにより、明細書記載の顕著な効果を奏するものであるから、請求項９に係る発明は、刊行物１〜３に記載された発明であるとも、刊行物１〜３に記載された発明に基いて当業者が容易に発明をすることができた発明であるともいえない。
　　
（ｘ）請求項１０に係る発明
（対比）
　請求項１０に係る発明と刊行物１〜３に記載された発明とを対比すると、
　刊行物１〜３に記載された発明はいずれも、請求項１０に記載された発明の要件である
　「回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　「前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、回路図情報の中でプリント基板レイアウト図情報と異なる部分の表示属性を前記設定手段により設定された表示方法に従って変更し
て
について開示しない。
　そして、請求項１０に係る発明は、上記要件を有することにより、明細書記載の顕著な効果を奏するものであるから、請求項１０に係る発明は、刊行物１〜３に記載された発明であるとも、刊行物１〜３に記載された発明に基いて当業者が容易に発明をすることができた発明であるともいえない。
　
（ｘｉ）請求項１１に係る発明
（対比）
　請求項１１に係る発明と刊行物１〜３に記載された発明とを対比すると、
　刊行物１〜３に記載された発明はいずれも、請求項１１に記載された発明の要件である
　「前記回路図情報読み込み手段で読み込まれた回路図情報と、前記プリント基板レイアウト図情報読み込み手段で読み込まれたプリント基板レイアウト図情報とを比較する比較手段と、
　前記比較手段によって得られた比較結果に基づき、回路図情報の中でプリント基板レイアウト図情報と異なる部分の表示属性を変更して回路図情報の中の図形を表示し、該異なる部分を表示する表示手段と、
　前記表示手段に表示する際に、階層設計されている回路図情報の場合に、どの階層において変更が生じたかを表示する変更階層表示手段と、
　前記表示手段に表示する際に、複数ページから構成される回路図情報の場合に、どのページにおいて変更が生じたかを表示する変更ページ表示手段とを有する回路図作成・編集可能なＣＡＤシステムおよびプリント基板レイアウト図作成・編集可能なＣＡＤシステムにおける差分表示装置。」
について開示しない。
　そして、請求項１１に係る発明は、上記要件を有することにより、明細書記載の顕著な効果を奏するものであるから、請求項１０に係る発明は、刊行物１〜３に記載された発明であるとも、刊行物１〜３に記載された発明に基いて当業者が容易に発明をすることができた発明であるともいえない。
　
（ｘｉｉ）請求項１２に係る発明
（対比）
　請求項１２に係る発明と刊行物３に記載された発明とを対比する。
　ファイル管理、ツール管理をアイコンによって行うオペレーティングシステムは、ユニックス、マイクロソフトのウインドウズ、アップルのマッキントッシュ、そしてその他のオペレーティングシステムの例を挙げるまでもなく周知である。
　また、オペレーティングシステムや応用プログラムをインストールする際に環境設定をすることも周知慣用されている事項である。
　ファイル並びにツールに変更が生じた場合、その変更を検出しそれに対応してアイコン又はフォルダの形状や色を変えて表示し、変更に応じた処理をアイコン又はフォルダで自由に扱うようにすることは周知慣用されている事項である。
この点に関しては、刊行物３（前記（サ）、（シ）参照。）の他に
特開平５−２８９８４２号公報
特開平６−　　４２５８号公報
特開平６−３４２３６１号公報
特開平７−１８２１３６号公報
特開平６−２１４９７４号公報
特開平６−　２８１４５号公報
をも参照されたい。
　
　そうすると、請求項１２に係る発明と刊行物３に記載された発明とは、
　
（一致点）
　「ファイル管理、ツール管理をアイコンによって行うオペレーティングシステムにおける差分表示装置において、
　種々のアプリケーションソフトウェアをインストールやアップデートなどによって環境の設定／変更を実施する際に、ファイルならびにツールを意味するアイコンに関係付けられている論理情報に変更が生じた場合に、変更による差分情報と履歴情報とを抽出し保存する差分管理手段と、
　変更が生じたことをアイコンの表示属性を変更してアイコン上に表示する表示手段と
　を有することを特徴とするファイル管理、ツール管理をアイコンによって行うオペレーティングシステムにおける差分表示装置。」
である点で一致し、次の点で相違する、
　
（相違点）
　請求項１２に係る発明が、アイコンに関係付けられている論理情報に変更が生じた場合に、変更による差分情報と履歴情報とを抽出しているに対し、
　刊行物３に記載された発明は、アイコンに関係付けられている論理情報に変更が生じた場合に、変更により変化した情報すなわち差分情報を抽出しているものの、履歴情報をも抽出するとは明記していない点。
　
（判断）
　履歴情報を持つとは、度重なる変更情報を継続して蓄積することであり、変更情報の記憶を変更が生じたその時点のみとするか、または変更があるたびにそれを継続して記憶するようにするかは、当業者が必要に応じて適宜なし得ることである。
　
（ｘｉｉｉ）請求項１３に係る発明
（対比）
　請求項１３に係る発明と刊行物３に記載された発明とを対比する。
　ファイル管理、ツール管理をアイコンによって行うオペレーティングシステムは、ユニックス、マイクロソフトのウインドウズ、アップルのマッキントッシュ、そしてその他のオペレーティングシステムの例を挙げるまでもなく周知である。
　また、オペレーティングシステムや応用プログラムをインストールする際に環境設定をすることも周知慣用されている事項である。
　ファイル並びにツールに変更が生じた場合、その変更を検出しそれに対応してアイコン又はフォルダの形状や色を変えて表示し、変更に応じた処理をアイコン又はフォルダで自由に扱うようにすることは周知慣用されている事項である。
この点に関しては、刊行物３（前記（サ）、（シ）参照。）の他に
特開平５−２８９８４２号公報
特開平６−　　４２５８号公報
特開平６−３４２３６１号公報
特開平７−１８２１３６号公報
特開平６−２１４９７４号公報
特開平６−　２８１４５号公報
をも参照されたい。
　
　そうすると、請求項１３に係る発明と刊行物３に記載された発明とは、
　
　「画面に表示されたユーザーインターフェースオブジェクト操作子を用いて操作し、ファイル管理、ツール管理などのツールの操作を行うオペレーティングシステムにおける差分表示装置において、
　種々のアプリケーションソフトウエアをインストールやアップデートなどによって環境の設定／変更を実施する際に、ユーザーインターフェースオブジェクトに関係付けられている論理情報に変更が生じた場合に、変更による差分情報と履歴情報とを抽出し保存する差分管理手段と、
　変更が生じたことをユーザーインターフェースオブジェクトの表示属性を変更してユーザーインターフェースオブジェクト上に表示する表示手段と
　を有することを特徴とする画面に表示されたユーザーインターフェースオブジェクトを操作子を用いて操作し、ファイル管理、ツール管理などのツールの操作を行うオペレーティングシステムにおける差分表示装置。」
である点で一致し、次の点で相違する。
　
（相違点）
　請求項１３に係る発明が、ユーザインターフェースオブジェクトに関係付けられている論理情報に変更が生じた場合に、変更による差分情報と履歴情報とを抽出して保存しているのに対し、
　刊行物３に記載された発明が、アイコンに関係付けられている論理情報に変更が生じた場合に、変更により変化した情報すなわち差分情報を抽出しているものの、履歴情報をも抽出するとは明記していない点。
　
（判断）
（履歴情報について）
　履歴情報を持つとは、度重なる変更情報を継続して蓄積することであり、変更情報の記憶を変更が生じたその時点のみとするか、または変更があるたびにそれを継続して記憶するようにするかは、当業者が必要に応じて適宜なし得ることである。
（ユーザインターフェースオブジェクトについて）
　アイコン又はフォルダは、ユーザインターフェースオブジェクトの概念に含まれるものである。しかるに、アイコン又はフォルダを上位概念化し、ユーザインターフェースオブジェクトと呼称し、論理情報の変更を該ユーザオブジェクトインターフェースに反映するとすることは、当業者が刊行物３に記載された発明及び周知技術とに基づいて適宜なし得ることである。
　　　　　　　　　　　　　　
７．むすび
　以上のとおりであるから、特許異議の申立の理由によっては本件請求項４，６，９〜１１に係る発明についての特許を取り消すことはできない。
　また、他に本件請求項４，６，９〜１１に係る発明についての特許を取り消すべき理由を発見しない。
　したがって、本件請求項４，６，９〜１１に係る発明についての特許は、拒絶の査定をしなければならない特許出願に対してなされたものと認めない。
　そして、本件請求項１〜３，５，７，８，１２，１３に係る発明は、刊行物１〜３に記載された発明、及び周知慣用されている技術とに基いて、当業者が容易に発明をすることができたものであるから、本件請求項１〜３，５，７，８，１２，１３に係る発明の特許は、特許法第２９条第２項の規定に違反してなされたものである。
　したがって、本件請求項１〜３，５，７，８，１２，１３に係る発明の特許は拒絶の査定をしなければならない特許出願に対してされたものと認める。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１４年１１月６日（２００２．１１．６）
【訂正の要旨】
訂正の要旨
（ａ）特許請求の範囲の請求項１
　「【請求項１】論理情報を持つ図形情報を扱う図形編集装置における差分表示置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報との差分を獲得する差分獲得手段と、
　前記差分獲得手段によって得られた差分に基づいて、前記差分の表示属性を変更して図形情報を表示する表示手段と
　を有することを特徴とする図形編集装置における差分表示装置。」
を、
　「【請求項１】論理情報を持つ図形情報を扱う図形編集装置における差分表示置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報と
を比較して、該編集前の図形情報および論値情報と該編集後の図形情報および論理情報と
　前記差分獲得手段によって得られた差分に基づいて、前記差分の表示属性を変更して図形情報を表示
して前記差分を示す
　を有することを特徴とする図形編集装置における差分表示装置。」
と訂正する。
（ｂ）特許請求の範囲の請求項２
　「【請求項２】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記記情報編集手段による編集前の論理情報と編集後の論理情報との差分を獲得する差分獲得手段と、
　前記差分獲得手段によって得られた差分に基づいて、前記差分の表示属性を変更して図形情報を表示する表示手段と
　を有することを特徴とする図形編集装置における差分表示装置。」
を、
　「【請求項２】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記記情報編集手段による編集前の論理情報と編集後の論理情報と
を比較して、該編集前の論理情報と該編集後の論理情報と
　前記差分獲得手段によって得られた差分に基づいて、前記差分の表示属性を変更して図形情報を表示
して前記差分を示す
　を有することを特徴とする図形編集装置における差分表示装置。」
と訂正する。
（ｃ）特許請求の範囲の請求項３
　「【請求項３】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報情報編集手段と、
　前記情報編集手段が編集した図形情報および論理情報の編集結果を、前記記憶手段に記憶された図形情報および論理情報に反映させる情報格納手段と、
　前記情報編集手段による編集の前後における差分を獲得する際の基準を、論理情報を対象にするか、論理情報および図形情報を対象にするかを選択する基準選手段と、
　前記基準選択手段により選択された基準に従って、前記情報編集手段による編集の前後における差分を獲得する差分獲得手段と、
　前記差分獲得手段によって得られた差分に基づいて、前記差分の表示属性を変更して図形情報を表示する表示手段と
　を有することを特徴とする図形編集装置における差分表示装置。」
を、
「【請求項３】論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報情報編集手段と、
　前記情報編集手段が編集した図形情報および論理情報の編集結果を、前記記憶手段に記憶された図形情報および論理情報に反映させる情報格納手段と、
　前記情報編集手段による編集の前後における差分を獲得する際の基準を、論理情報を対象にするか、論理情報および図形情報を対象にするかを選択する基準選手段と、
　前記基準選択手段により選択された基準に従って
、前記情報編集手段による編集の前後において比較を行い
　前記差分獲得手段によって得られた差分に基づいて、前記差分の表示属性を変更して図形情報を表示
して前記差分を示す
　を有することを特徴とする図形編集装置における差分表示装置。」
と訂正する。
（ｄ）特許請求の範囲の請求項４
　「【請求項４】第一のシステムと第二のシステムとを有して構成される論理情報を持つ図形情報を扱う図形編集装置における差分表示装置において、
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む第二のシステム情報読み込み手段と、
　前記第一のシステム情報読み込み手段で読み込まれた第一のシステムにおける図形情報および論理情報と、前記第二のシステム情報読み込み手段で読み込まれた第二のシステムにおける図形情報および論理情報とを比較して、異なる部分を表す差分情報を得る比較手段と、
　前記比較手段によって得られた差分情報の表示方法を設定する設定手段と、
　前記比較手段によって得られた差分情報に基づいて、第一のシステムにおける図形情報報および論理情報の中で第二のシステムにおける図形情報および論理情報と異なる部分の表示属性を前記設定手段により設定された表示方法に従って変更し、第一のシステムにおける図形情報を表示する表示手段と
　を有することを特徴とする図形編集装置における差分表示装置。」
を、
　「【請求項４】第一のシステムと第二のシステムとを有して構成される論理情報を持つ図形情報を扱う図形編集装置における差分表示装置において、
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む第二のシステム情報読み込み手段と、
　前記第一のシステム情報読み込み手段で読み込まれた第一のシステムにおける図形情報および論理情報と、前記第二のシステム情報読み込み手段で読み込まれた第二のシステムにおける図形情報および論理情報とを比較して、異なる部分を表す差分情報を得る比較手段と、
　前記比較手段によって得られた差分情報の表示方法を設定する設定手段と、
　前記比較手段によって得られた差分情報に基づいて、第一のシステムにおける図形情報報および論理情報の中で第二のシステムにおける図形情報および論理情報と異なる部分の表示属性を前記設定手段により設定された表示方法に従って変更し
て
し、該異なる部分を表示
　を有することを特徴とする図形編集装置における差分表示装置。」
と訂正する。
（ｅ）特許請求の範囲の請求項５
　「【請求項５】論理情報を持つ図形情報を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報との差分を獲得する差分獲得手段と、
　前記差分獲得手段によって得られた差分に基づいて、前記差分の表示属性を変更して図形情報を表示する表示手段と
　を有することを特徴とするＣＡＤシステムにおける差分表示装置。」
を、
　「【請求項５】論理情報を持つ図形情報を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報と
を比較して、該編集前の図形情報および論値情報と該編集後の図形情報および論理情報と
　前記差分獲得手段によって得られた差分に基づいて、前記差分の表示属性を変更して図形情報を表示
して前記差分を示す
　を有することを特徴とするＣＡＤシステムにおける差分表示装置。」
と訂正する。
（ｆ）特許請求の範囲の請求項６
「【請求項６】第一のシステムと第二のシステムとを有して構成される論理情報を持つ図形情報を扱うＣＡＤシステムにおける差分表示装置において、
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む二のシステム情報読み込み手段と、
　前記第一のシステム情報読み込み手段で読み込まれた第一のシステムにおける図形情報および論理情報と、前記第二のシステム情報読み込み手段で読み込まれ第二のシステムにおける図形情報および論理情報とを比較して、異なる部分を表す差分情報を得る比較手段と、
　前記記比較手段によって得られた差分情報の表示方法を設定する設定手段と、
　前記比較手段によって得られた差分情報に基づいて、第一のシステムにおける図形情報および論理情報の中で第二のシステムにおける図形情報および論理情報と異なる部分の表示属性を前記設定手段により設定された表示方法に従って変更し、第一のシステムにおける図形情報を表示する表示手段と
　を有することを特徴とするＣＡＤシステムにおける差分表示装置。」
を、
「【請求項６】第一のシステムと第二のシステムとを有して構成される論理情報を持つ図形情報を扱うＣＡＤシステムにおける差分表示装置において
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む二のシステム情報読み込み手段と、
　前記第一のシステム情報読み込み手段で読み込まれた第一のシステムにおける図形情報および論理情報と、前記第二のシステム情報読み込み手段で読み込まれ第二のシステムにおける図形情報および論理情報とを比較して、異なる部分を表す差分情報を得る比較手段と、
　前記記比較手段によって得られた差分情報の表示方法を設定する設定手段と、
　前記比較手段によって得られた差分情報に基づいて、第一のシステムにおける図形情報および論理情報の中で第二のシステムにおける図形情報および論理情報と異なる部分の表示属性を前記設定手段により設定された表示方法に従って変更して第一のシステムにおける図形情報を表示
し、該異なる部分を表示
　を有することを特徴とするＣＡＤシステムにおける差分表示装置。」
と訂正する。
（ｇ）特許請求の範囲の請求項７
　「【請求項７】文章および図形を扱うドキュメンテーシヨン編集装置におけ差分表示装置において、
　文章情報、図形情報およびそれぞれの属性情報を記憶する記憶手段と、
　前記記憶手段から文章情報、図形情報およびそれぞれの属性情報を読み込む情報読み込み手段と、
　前記情報読み込み手段が読み込んだ文章情報、図形情報およびそれぞれの属性情報を編集する情報編集手段と、
　前記情報編集手段が編集した文章情報、図形情報およびそれぞれの属性情報の編集結果を、前記記憶手段に記憶された文章情報、図形情報およびそれぞれの属性情報に反映させる情報格納手段と、
　前記情報編集手段による編集前の文章情報、図形情報およびそれぞれの属性情報と編集後の文章情報、図形情報およびそれぞれの属性情報との差分を獲得する差分獲得手段と、
　前記差分獲得手段によって得られた差分に基づいて、前記差分の表示属性を変更して文章情報および図形情報を表示する表示手段と
　を有することを特徴とするドキュメンテーシヨン編集装置における差分表示装置。」
を、
　「【請求項７】文章および図形を扱うドキュメンテーシヨン編集装置におけ差分表示装置において、
　文章情報、図形情報およびそれぞれの属性情報を記憶する記憶手段と、
　前記記憶手段から文章情報、図形情報およびそれぞれの属性情報を読み込む情報読み込み手段と、
　前記情報読み込み手段が読み込んだ文章情報、図形情報およびそれぞれの属性情報を編集する情報編集手段と、
　前記情報編集手段が編集した文章情報、図形情報およびそれぞれの属性情報の編集結果を、前記記憶手段に記憶された文章情報、図形情報およびそれぞれの属性情報に反映させる情報格納手段と、
　前記情報編集手段による編集前の文章情報、図形情報およびそれぞれの属性情報と編集後の文章情報、図形情報およびそれぞれの属性情報と
を比較して、該編集前の文章情報、図形情報およびそれぞれの属性情報と該編集後の文章情報、図形情報およびそれぞれの属性情報と
　前記差分獲得手段によって得られた差分に基づいて、前記差分の表示属性を変更して文章情報および図形情報を表示
して前記差分を示す
　を有することを特徴とするドキュメンテーシヨン編集装置における差分表示装置。」
と訂正する。
（ｈ）特許請求の範囲の請求項８
　「【請求項８】回路図およびプリント基板レイアウト図を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報び論理情報との差分を獲得する差分獲得手段と、
　前記差分獲得手段によって得られた差分に基づいて、前記差分の表示属性を変更して図形情報を表示する表示手段と
　を有することを特徴とする回路図およびプリント基板レイアウト図を扱うＣＡＤシステムにおける差分表示装置。」
を、
　「【請求項８】回路図およびプリント基板レイアウト図を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報び論理情報と
を比較して、該編集前の図形情報および論理情報と該編集後の図形情報および論理情報と
　前記差分獲得手段によって得られた差分に基づいて、前記差分の表示属性を変更して図形情報を表示
して前記差分を示す
　を有することを特徴とする回路図およびプリント基板レイアウト図を扱うＣＡＤシステムにおける差分表示装置。」
と訂正する。
（ｉ）特許請求の範囲の請求項９
　「【請求項９】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、プリント基板レイアウト図情報の中で回路図情報と異なる部分の表示属性を前記設定手段により設定された表示方法に従って変更し、プリント基板レイアウト図情報の中の図形情報を表示する表示手段と
　を有することを特徴とする回路図作成・編集可能なＣＡＤシステムおよびプリント基板レイアウト図作成・編集可能なＣＡＤシステムにおける差分表示装置。」
を、
　「【請求項９】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、プリント基板レイアウト図情報の中で回路図情報と異なる部分の表示属性を前記設定手段により設定された表示方法に従って変更し
て
し、該異なる部分を表示
　を有することを特徴とする回路図作成・編集可能なＣＡＤシステムおよびプリント基板レイアウト図作成・編集可能なＣＡＤシステムにおける差分表示装置。」
と訂正する。
（ｊ）特許請求の範囲の請求項１０
　「【請求項１０】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、回路図情報の中でプリント基板レイアウト図情報と異なる部分の表示属性を前記設定手段により設定されたた表示方法に従って変更し、回路図情報の中の図形情報を表示する表示手段と
　を有することを特徴とする回路図作成・編集可能なＣＡＤシステムおよびプリント基板レイアウト図作成・編集可能なＣＡＤシステムにおける差分表示装置。」
を、
　「【請求項１０】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、回路図情報の中でプリント基板レイアウト図情報と異なる部分の表示属性を前記設定手段により設定された表示方法に従って変更し
て
し、該異なる部分を表示
　を有することを特徴とする回路図作成・編集可能なＣＡＤシステムおよびプリント基板レイアウト図作成・編集可能なＣＡＤシステムにおける差分表示装置。」
と訂正する。
（ｋ）特許請求の範囲の請求項１１
　「【請求項１１】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　回路図作成・編集可能なＣＡＤシステムにおいて、階層設計された回路図情報を表現するための階層設計データ管理・表示手段と、
　回路図作成・編集可能なＣＡＤシステムにおいて、複数ページから構成される回路図情報を表現するための回路図情報管理・表示手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較する比較手段と、
　前記比較手段によって得られた比較結果に基づき、回路図情報の中でプリント基板レイアウト図情報と異なる部分の表示属性を変更して、回路図情報の中の図形を表示する表示手段と、
　前記表示手段に表示する際に、階層設計されている回路図情報の場合に、どの階層において変更が生じたかを表示する変更階層表示手段と、
　前記表示手段に表示する際に、複数ページから構成される回路図情報の場合に、どのページにおいて変更が生じたかを表示する変更ページ表示手段と
　を有することを特徴とする回路図作成・編集可能なＣＡＤシステムおよびプリント基板レイアウト図作成・編集可能なＣＡＤシステムにおける差分表示装置。」
を、
　「【請求項１１】回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　回路図作成・編集可能なＣＡＤシステムにおいて、階層設計された回路図情報を表現するための階層設計データ管理・表示手段と、
　回路図作成・編集可能なＣＡＤシステムにおいて、複数ページから構成される回路図情報を表現するための回路図情報管理・表示手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較する比較手段と、
　前記比較手段によって得られた比較結果に基づき、回路図情報の中でプリント基板レイアウト図情報と異なる部分の表示属性を変更して回路図情報の中の図形を表示
し、該異なる部分を表示
　前記表示手段に表示する際に、階層設計されている回路図情報の場合に、どの階層において変更が生じたかを表示する変更階層表示手段と、
　前記表示手段に表示する際に、複数ページから構成される回路図情報の場合に、どのページにおいて変更が生じたかを表示する変更ページ表示手段と
　を有することを特徴とする回路図作成・編集可能なＣＡＤシステムおよびプリント基板レイアウト図作成・編集可能なＣＡＤシステムにおける差分表示装置。」
と訂正する。
（ｌ）明細書段落【００１７】
　「【００１７】
　【課題を解決するための手段】上記目的を達成するために、本発明における差分表示装置は、論理情報を持つ図形情報を扱う図形編集装置における差分表示装置において、図形情報および論理情報を記憶する記憶手段と、上記記憶手段から図形情報および論理情報を読み込む情報読み込み手段と、上記情報読み込み手段が読み込んだ図形情報および論理情報を編集する情報編集手段と、上記情報編集手段が編集した図形情報および論理情報の編集結果を、上記記憶手段に記憶された図形情報および論理情報に反映させる情報格納手段と、上記情報編集手段による編集前の図形情報および論理情報と編集後の図形情報および論理情報とを比較して、該編集前の図形情報および論値情報と該編集後の図形情報および論理情報との差分を獲得する差分獲得手段と、上記差分獲得手段によって得られた差分に基づいて、上記差分の表示属性を変更して図形情報を表示して前記差分を示す表示手段とを有するようにしたものである。」
と訂正する。
（ｍ）明細書段落【００２８】
　「【００２８】また、データベースＢ１に記憶された論理情報とデータベースＢ２に記憶された図形情報とにおいても、データベースＡ１に記憶された論理情報とデータベースＡ２に記憶された図形情報と同様に、一つのオブジェクトがそれぞれ固有の識別番号（ＩＤ）を持っており、そのオブジェクトの論理情報と図形情報とが関係づけられるという構造を備えている。」
と訂正する。
（ｎ）明細書段落【０１１０】
　「【０１１０】図８には、ファイルマネージャによる一般的な表示例が示されているが、ここにおいて、ファイルアイコンとは、図８のｆｉｌｅ＊／ｄｉｒ＊を含む図形を称するものとする。」
と訂正する。
（５４）【発明の名称】
差分表示装置
（５７）【特許請求の範囲】
　【請求項１】　論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報と
を比較して、該編集前の図形情報および論値情報と該編集後の図形情報および論理情報と
　前記差分獲得手段によって得られた差分に基づいて、前記差分の表示属性を変更して図形情報を表示
して前記差分を示す
　を有することを特徴とする図形編集装置における差分表示装置。
　【請求項２】　論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の論理情報と編集後の論理情報と
を比較して、該編集前の論理情報と該編集後の論理情報と
　前記差分獲得手段によって得られた差分に基づいて、前記差分の表示属性を変更して図形情報を表示
して前記差分を示す
　を有することを特徴とする図形編集装置における差分表示装置。
　【請求項３】　論理情報を持つ図形情報を扱う図形編集装置における差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集の前後における差分を獲得する際の基準を、論理情報を対象にするか、論理情報および図形情報を対象にするかを選択する基準選択手段と、
　前記基準選択手段により選択された基準に従って
、前記情報編集手段による編集の前後において比較を行い
　前記差分獲得手段によって得られた差分に基づいて、前記差分の表示属性を変更して図形情報を表示
して前記差分を示す
　を有することを特徴とする図形編集装置における差分表示装置。
　【請求項４】　第一のシステムと第二のシステムとを有して構成される論理情報を持つ図形情報を扱う図形編集装置における差分表示装置において、
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む第二のシステム情報読み込み手段と、
　前記第一のシステム情報読み込み手段で読み込まれた第一のシステムにおける図形情報および論理情報と、前記第二のシステム情報読み込み手段で読み込まれた第二のシステムにおける図形情報および論理情報とを比較して、異なる部分を表す差分情報を得る比較手段と、
　前記比較手段によって得られた差分情報の表示方法を設定する設定手段と、
　前記比較手段によって得られた差分情報に基づいて、第一のシステムにおける図形情報および論理情報の中で第二のシステムにおける図形情報および論理情報と異なる部分の表示属性を前記設定手段により設定された表示方法に従って変更して第一のシステムにおける図形情報を表示
し、該異なる部分を表示
　を有することを特徴とする図形編集装置における差分表示装置。
　【請求項５】　論理情報を持つ図形情報を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報と
を比較して、該編集前の図形情報および論値情報と該編集後の図形情報および論地情報と
　前記差分獲得手段によって得られた差分に基づいて、前記差分の表示属性を変更して図形情報を表示
して前記差分を示す
　を有することを特徴とするＣＡＤシステムにおける差分表示装置。
　【請求項６】　第一のシステムと第二のシステムとを有して構成される論理情報を持つ図形情報を扱うＣＡＤシステムにおける差分表示装置において、
　第一のシステムにおける図形情報および論理情報ならびに第二のシステムにおける図形情報および論理情報を記憶する記憶手段と、
　前記記憶手段から第一のシステムにおける図形情報および論理情報を読み込む第一のシステム情報読み込み手段と、
　前記記憶手段から第二のシステムにおける図形情報および論理情報を読み込む第二のシステム情報読み込み手段と、
　前記第一のシステム情報読み込み手段で読み込まれた第一のシステムにおける図形情報および論理情報と、前記第二のシステム情報読み込み手段で読み込まれた第二のシステムにおける図形情報および論理情報とを比較して、異なる部分を表す差分情報を得る比較手段と、
　前記比較手段によって得られた差分情報の表示方法を設定する設定手段と、
　前記比較手段によって得られた差分情報に基づいて、第一のシステムにおける図形情報および論理情報の中で第二のシステムにおける図形情報および論理情報と異なる部分の表示属性を前記設定手段により設定された表示方法に従って変更して第一のシステムにおける図形情報を表示
し、該異なる部分を表示
　を有することを特徴とするＣＡＤシステムにおける差分表示装置。
　【請求項７】　文章および図形を扱うドキュメンテーション編集装置における差分表示装置において、
　文章情報、図形情報およびそれぞれの属性情報を記憶する記憶手段と、
　前記記憶手段から文章情報、図形情報およびそれぞれの属性情報を読み込む情報読み込み手段と、
　前記情報読み込み手段が読み込んだ文章情報、図形情報およびそれぞれの属性情報を編集する情報編集手段と、
　前記情報編集手段が編集した文章情報、図形情報およびそれぞれの属性情報の編集結果を、前記記憶手段に記憶された文章情報、図形情報およびそれぞれの属性情報に反映させる情報格納手段と、
　前記情報編集手段による編集前の文章情報、図形情報およびそれぞれの属性情報と編集後の文章情報、図形情報およびそれぞれの属性情報と
を比較して、該編集前の文章情報、図形情報およびそれぞれの属性情報と該編集後の文章情報、図形情報およびそれぞれの属性情報と
　前記差分獲得手段によって得られた差分に基づいて、前記差分の表示属性を変更して文章情報および図形情報を表示
して前記差分を示す
　を有することを特徴とするドキュメンテーション編集装置における差分表示装置。
　【請求項８】　回路図およびプリント基板レイアウト図を扱うＣＡＤシステムにおける差分表示装置において、
　図形情報および論理情報を記憶する記憶手段と、
　前記記憶手段から図形情報および論理情報を読み込む情報読み込み手段と、
　前記情報読み込み手段が読み込んだ図形情報および論理情報を編集する情報編集手段と、
　前記情報編集手段が編集した図形情報および論理情報の編集結果を、前記記憶手段に記憶された図形情報および論理情報に反映させる情報格納手段と、
　前記情報編集手段による編集前の図形情報および論理情報と編集後の図形情報および論理情報と
を比較して、該編集前の図形情報および論理情報と該編集後の図形情報および論理情報と
　前記差分獲得手段によって得られた差分に基づいて、前記差分の表示属性を変更して図形情報を表示
して前記差分を示す
　を有することを特徴とする回路図およびプリント基板レイアウト図を扱うＣＡＤシステムにおける差分表示装置。
　【請求項９】　回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、プリント基板レイアウト図情報の中で回路図情報と異なる部分の表示属性を前記設定手段により設定された表示方法に従って変更し
て
し、該異なる部分を表示
　を有することを特徴とする回路図作成・編集可能なＣＡＤシステムおよびプリント基板レイアウト図作成・編集可能なＣＡＤシステムにおける差分表示装置。
　【請求項１０】　回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較して、異なる部分を表す差分情報を得る比較手段と、
　前記比較手段によって得られた差分情報の表示方法を設定する設定手段と、
　前記比較手段によって得られた差分情報に基づいて、回路図情報の中でプリント基板レイアウト図情報と異なる部分の表示属性を前記設定手段により設定されたた表示方法に従って変更し
て
し、該異なる部分を表示
　を有することを特徴とする回路図作成・編集可能なＣＡＤシステムおよびプリント基板レイアウト図作成・編集可能なＣＡＤシステムにおける差分表示装置。
　【請求項１１】　回路図作成・編集可能なＣＡＤシステムおよびプリント基板レイアウト図作成・編集可能なＣＡＤシステムにおける差分表示装置において、
　回路図作成・編集可能なＣＡＤシステムから、論理情報および図形情報からなる回路図情報を読み込む回路図情報読み込み手段と、
　回路図作成・編集可能なＣＡＤシステムにおいて、階層設計された回路図情報を表現するための階層設計データ管理・表示手段と、
　回路図作成・編集可能なＣＡＤシステムにおいて、複数ページから構成される回路図情報を表現するための回路図情報管理・表示手段と、
　プリント基板レイアウト図作成・編集可能なＣＡＤシステムから、論理情報および図形情報からなるプリント基板レイアウト図情報を読み込むプリント基板レイアウト図情報読み込み手段と、
　前記回路図情報読み込み手段で読み込まれた回路図情報と、前記プリント基板レイアウト図情報読み込み手段で読み込まれたプリント基板レイアウト図情報とを比較する比較手段と、
　前記比較手段によって得られた比較結果に基づき、回路図情報の中でプリント基板レイアウト図情報と異なる部分の表示属性を変更して回路図情報の中の図形情報を表示
し、該異なる部分を表示
　前記表示手段に表示する際に、階層設計されている回路図情報の場合に、どの階層において変更が生じたかを表示する変更階層表示手段と、
　前記表示手段に表示する際に、複数ページから構成される回路図情報の場合に、どのページにおいて変更が生じたかを表示する変更ページ表示手段と
　を有することを特徴とする回路図作成・編集可能なＣＡＤシステムおよびプリント基板レイアウト図作成・編集可能なＣＡＤシステムにおける差分表示装置
　【請求項１２】　ファイル管理、ツール管理をアイコンによって行うオペレーティングシステムにおける差分表示装置において、
　種々のアプリケーションソフトウェアをインストールやアップデートなどによって環境の設定／変更を実施する際に、ファイルならびにツールを意味するアイコンに関係付けられている論理情報に変更が生じた場合に、変更による差分情報と履歴情報とを抽出し保存する差分管理手段と、
　変更が生じたことをアイコンの表示属性を変更してアイコン上に表示する表示手段と
　を有することを特徴とするファイル管理、ツール管理をアイコンによって行うオペレーティングシステムにおける差分表示装置。
　【請求項１３】　画面に表示されたユーザーインターフェースオブジェクトを操作子を用いて操作し、ファイル管理、ツール管理などのツールの操作を行うオペレーティングシステムにおける差分表示装置において、
　種々のアプリケーションソフトウェアをインストールやアップデートなどによって環境の設定／変更を実施する際に、ユーザーインターフェースオブジェクトに関係付けられている論理情報に変更が生じた場合に、変更による差分情報と履歴情報とを抽出し保存する差分管理手段と、
　変更が生じたことをユーザーインターフェースオブジェクトの表示属性を変更してユーザーインターフェースオブジェクト上に表示する表示手段と
　を有することを特徴とする画面に表示されたユーザーインターフェースオブジェクトを操作子を用いて操作し、ファイル管理、ツール管理などのツールの操作を行うオペレーティングシステムにおける差分表示装置。
【発明の詳細な説明】
　【０００１】
　【発明の属する技術分野】
　本発明は、差分表示装置に関し、さらに詳細には、図形編集装置などに用いて好適な差分表示装置に関する。
　【０００２】
　【従来の技術および発明が解決しようとする課題】
　現在、機能設計、回路設計あるいはプリント基板設計などの電子・電気設計や、筺体設計あるいはアセンブリ設計などの機械設計においては、ディスプレイ上に図形（グラフィックス）を表示し、その図形を編集可能な図形編集装置（グラフィックス表示装置）を使用して、コンピュータ制御により設計業務を支援するＣＡＤシステムが用いられることが多い。
　【０００３】
　ところで、従来の電子・電気設計などのＣＡＤシステムにおいては、設計変更により、例えば、回路図からプリント基板レイアウト図への変更や、あるいはその反対に、プリント基板レイアウト図から回路図への変更が生じた場合などには、回路図やプリント基板レイアウト図に対して、ＣＡＤシステムがその変更を自動で一括して反映させようになされていた。
　【０００４】
　そして、ＣＡＤシステムが処理した変更結果の確認は、変更処理の完了後にグラフィックス表示装置のディスプレイ上に変更された回路図やプリント基板レイアウト図を示す図形を表示し、ＣＡＤシステムのオペレーター（設計者）が目視によりその回路図やプリント基板レイアウト図を示す図形の変更箇所を確認するという方法（以下、「従来第一方法」と称す。）により行っていた。
　【０００５】
　しかしながら、上記した従来第一方法では、回路図やプリント基板レイアウト図を示す図形が複雑な場合には、回路図やプリント基板レイアウト図を示す図形に表示されているいずれの情報がどのように変更されたかを、オペレーターが短時間で正確に認知することは困難であるという問題点があり、このため、ＣＡＤシステムが処理した変更結果を容認すべきか否かの判断を行うのに、時間がかかってしまうということが指摘されていた。
　【０００６】
　また、ＣＡＤシステムが処理した変更結果の確認方法としては、上記した従来第一方法の他に、例えば、次のような方法も提案されている。
　【０００７】
　即ち、変更された回路図やプリント基板レイアウト図を示すデータとは別に、オペレーターが回路図やプリント基板レイアウト図を示す図形中の変更された箇所のみを文章で示す情報をテキスト・データとして別途作成し、このテキスト・データをアウト・プットし、オペレーターがアウト・プットされた内容を参照しながら、回路図やプリント基板レイアウト図を示す図形中の変更された箇所を目視確認するという方法（以下、「従来第二方法」と称す。）である。
　【０００８】
　しかしながら、この従来第二方法によっては、オペレーターが回路図やプリント基板レイアウト図を示す図形中の変更された箇所のみを示すテキスト・データを別途作成してアウト・プットする必要があるため、そのためのオペレーターによる操作が煩雑化するという問題点があった。
　【０００９】
　さらに、従来第二方法においても、オペレーターがアウト・プットされた内容を参照しながら、回路図やプリント基板レイアウト図を示す図形中の変更された箇所を探さなければならないため、回路図やプリント基板レイアウト図を示す図形が複雑な場合には、やはり、オペレーターが回路図やプリント基板レイアウト図を示す図形中の変更箇所を短時間で探し出すのは困難であるという問題点があり、このためＣＡＤシステムが処理した変更結果を容認すべきか否かの判断を行うのに、時間がかかってしまうということが指摘されていた。
　【００１０】
　また、ＣＡＤシステムを用いた機能設計、回路設計あるいはプリント基板設計などの電子・電気設計や、筺体設計あるいはアセンブリ設計などの機械設計においては、しばしば完成した設計図の改版作業や、完成した設計図を流用して全く別な新たな設計図を作成する流用設計を行うことがある。
　【００１１】
　例えば、回路図などの改版作業や流用設計を行う場合に、初版の回路図と初版以降の回路図との間で論理情報の変更があるか否かをオペレーターが確認する方法としては、初版の回路図と初版以降の回路図とのそれぞれからネット・リストを抽出し、これら２つのネット・リストを示す図形をグラフィックス表示装置のディスプレイ上に表示し目視チェックする方法（以下、「従来第三方法」と称す。）が知られている。
　【００１２】
　しかしながら、この従来第三方法によっては、オペレーターがグラフィックス表示装置のディスプレイ上に表示された２つのネット・リストを示す図形を目視チェックする必要があるので、ネット・リストを示す図形が複雑な場合には、２つのネット・リストの差異をグラフィックス表示装置のディスプレイ上においてオペレーターが短時間で正確に認知することは困難であるという問題点があり、このため、オペレーターが初版の回路図と初版以降の回路図との間で論理情報の変更があるか否かの判断を行うのに、時間がかかってしまうということが指摘されていた。
　【００１３】
　また、初版の回路図と初版以降の回路図との間で論理情報の変更があるか否かをオペレーターが確認する方法としては、上記した従来第三方法の他に、例えば、初版の回路図と初版以降の回路図とのそれぞれからネット・リストを抽出し、これら２つのネット・リストの差分を文章で示す情報をテキスト・データとして別途作成し、このテキスト・データをアウト・プットし、オペレーターがアウト・プットされた内容を参照しながら、初版の回路図と初版以降の回路図との間の論理情報の変更を確認するという方法（以下、「従来第四方法」と称す。）が知られている。
　【００１４】
　しかしながら、この従来第四方法によってでは、オペレーターが２つのネット・リストの差分を示すテキスト・データを別途作成してアウト・プットする必要があるため、そのためのオペレーターによる操作が煩雑化するという問題点があった。
　【００１５】
　即ち、上記した従来第一方法乃至従来第四方法に示すような従来の方法では、設計変更の内容や改版前後の論理情報の差異情報といったものは、グラフィックス表示装置のディスプレイ上に表示された回路図やネット・リストを示す図形からは、オペレーターが容易に確認することができないという問題点があった。
　【００１６】
　本発明は、従来の技術の有するこのような種々の問題点に鑑みてなされたものであり、その目的とするところは、設計変更の内容や改版前後の論理情報の差異情報といったものを、設計変更の内容や改版前後の論理情報が反映される対象となる設計図やネット・リストを示す図形上で、オペレーターが直感的に簡明に認識することができるようにし、設計時間を短縮化することができるようにした差分表示装置を提供しようとするものである。
　【００１７】
　【課題を解決するための手段】
　上記目的を達成するために、本発明における差分表示装置は、論理情報を持つ図形情報を扱う図形編集装置における差分表示装置において、図形情報および論理情報を記憶する記憶手段と、上記記憶手段から図形情報および論理情報を読み込む情報読み込み手段と、上記情報読み込み手段が読み込んだ図形情報および論理情報を編集する情報編集手段と、上記情報編集手段が編集した図形情報および論理情報の編集結果を、上記記憶手段に記憶された図形情報および論理情報に反映させる情報格納手段と、上記情報編集手段による編集前の図形情報および論理情報と編集後の図形情報および論理情報と
を比較して、該編集前の図形情報および論値情報と該編集後の図形情報および論理情報と
して前記差分を示す
　【００１８】
　【発明の実施の形態】
　以下、添付の図面に基づいて、本発明による差分表示装置を詳細に説明するものとする。
　【００１９】
１．全体の構成
　図１には、本発明による差分表示装置の実施の形態の一例を備えたＣＡＤシステムのブロック構成図が示されている。
　【００２０】
　このＣＡＤシステムは、中央処理装置（ＣＰＵ）１０によって全体の動作の制御が行われるものである。このＣＰＵ１０には、バス・ラインを介して、後述する各種処理を行うためにＣＰＵ１０が実行するプログラムを記憶したリード・オンリ・メモリ（ＲＯＭ）１２と、ＣＰＵ１０がＲＯＭ１２に記憶されたプログラムを実行する際のワーキング・エリアとしてのランダム・アクセス・メモリ（ＲＡＭ）１４と、回路図を示す論理情報および図形情報ならびにプリント基板レイアウト図を示す論理情報および図形情報をデータベースとして記憶した外部記憶装置としての磁気ディスク１６と、ＣＰＵ１０の制御に基づいて回路図を示す図形を表示するディスプレイを備えた第１グラフィックス表示装置１８と、ＣＰＵ１０の制御に基づいてプリント基板レイアウト図を示す図形を表示するディスプレイを備えた第２グラフィックス表示装置２０と、第１グラフィックス表示装置１８ならびに第２グラフィックス表示装置２０における表示内容の選択や編集の指示などを行う操作子としてのキーボード２２およびマウス２４とが接続されている。
　【００２１】
　ここで、磁気ディスク１６に記憶されたデータベースは、図３に示すように、第１グラフィックス表示装置１８が表示する回路図における接続関係を示す論理情報を記憶するデータベースＡ１と、第１グラフィックス表示装置１８が表示する回路図の図形の形状を示す図形情報を記憶するデータベースＡ２と、第２グラフィックス表示装置２０が表示する基板レイアウト図における接続関係を示す論理情報を記憶するデータベースＢ１と、第２グラフィックス表示装置１８が表示する基板レイアウト図の図形の形状を示す図形情報を記憶するデータベースＢ２とより構成される。
　【００２２】
　換言すれば、第１グラフィックス表示装置１８は、データベースＡ１に記憶された論理情報とデータベースＡ２に記憶された図形情報とに基づいて回路図を表示し、第２グラフィックス表示装置２０は、データベースＢ１に記憶された論理情報とデータベースＢ２記憶された図形情報とに基づいてプリント基板レイアウト図を表示する。即ち、この実施の態様においては、ＣＰＵ１０の制御に基づいて、第１グラフィックス表示装置１８を回路図用図形編集装置（回路図用グラフィックス・エディタ）として使用し、第２グラフィックス表示装置２０をプリント基板レイアウト図用図形編集装置（プリント基板レイアウト図用グラフィックス・エディタ）として使用するものである。
　【００２３】
　なお、データベースＡ１に記憶された論理情報とデータベースＡ２に記憶された図形情報とは、一つのオブジェクトがそれぞれ固有の識別番号（ＩＤ）を持っており、そのオブジェクト固有のＩＤによってオブジェクトの論理情報と図形情報とが関係付けられるという構造を備えている。
　【００２４】
　また、データベースＢ１に記憶された論理情報とデータベース
Ｂ
　【００２５】
　次に、このＣＡＤシステムの作用に関して説明すると、まず、オペレーターが電源を投入してこのＣＡＤシステムを起動すると、ＣＰＵ１０は、第１グラフィックス表示装置１８の回路図作成のためのプログラムとして、ツール管理とデータベースＡ１およびデータベースＡ２に記憶されている回路図データ（回路図の論理情報および図形情報）のデータ管理を司るプログラムたる回路図データマネージャを起動し、第１グラフィックス表示装置１８のディスプレイ上に回路図データマネージャが管理する回路図データを表示する（図４参照）。
　【００２６】
　次に、第１グラフィックス表示装置１８のディスプレイ上に表示された回路図データマネージャが管理する回路図データの中から、オペレーターは所望の回路図データを処理対象として選択することになる。この選択操作は、マウス２４の操作により所望の回路図データを記憶したファイルにカーソルを合わせ、マウス２４をダブルクリックすることにより行う。そして、この選択操作が行われると、ＣＰＵ１０は、第１グラフィックス表示装置１８を制御するプログラムを起動して、第１グラフィックス表示装置１８を回路図用グラフィックスエディタとして機能させる。
　【００２７】
　なお、理解を容易にするために、この実施の態様においては、回路図データを記憶したファイルとして「Ａ」のファイル（以下、「ファイルＡ」と称す。）を選択するものとするが、このファイルＡは上記したように論理情報と図形情報とからなる回路図データである。
　【００２８】
　上記した選択操作が行われて、ＣＰＵ１０が、第１グラフィックス表示装置１８を制御するプログラムを起動して、第１グラフィックス表示装置１８を回路図用グラフィックスエディタとして機能させると、回路図用グラフィックスエディタに基づく処理が実行されることになり、ＣＰＵ１０の制御により、磁気ディスク１６からファイルＡの回路図データをＲＡＭ１４へ読み込み、第１グラフィックス表示装置１８のディスプレイ上の回路図を表示する領域たる回路設計用グラフィックスエディタウィンドウに、ＲＡＭ１４へ読み込んだファイルＡの回路図データに基づく回路図（図形）が表示される（図２（ａ）参照）。
　【００２９】
　次に、オペレータは、第２グラフィックス表示装置２０を制御するプログラムを起動して、第２グラフィックス表示装置２０をプリント基板レイアウト図用グラフィックスエディタとして機能させるようにする。
　【００３０】
　それから、オペレーターは、第２グラフィックス表示装置２０のディスプレイ上のプリント基板レイアウト図を表示する領域たる基板レイアウト用グラフィックスエディタウィンドウに表示する処理対象として、ファイルＡに基づく回路図に対応するプリント基板レイアウト図のデータを記憶したファイル名をキーボード２２により入力する。
　【００３１】
　なお、理解を容易にするために、この実施の態様においては、ファイルＡに基づく回路図に対応するプリント基板レイアウト図のデータを記憶したファイル名として、「ファイルＰＣＢ」を入力するものとするが、このファイルＰＣＢにより指定されるプリント基板レイアウト図データは、上記したようにプリント基板レイアウト図の論理情報と図形情報とからなるデータである。
　【００３２】
　オペレーターによるプリント基板レイアウト図のデータを記憶したファイル名の入力処理が終了すると、ＣＰＵ１０の制御により、プリント基板レイアウト用グラフィックスエディタに基づく処理が実行されるものであり、磁気ディスク１６からファイルＰＣＢのプリント基板レイアウト図データをＲＡＭ１４へ読み込み、第２グラフィックス表示装置２０の基板レイアウト用グラフィックスエディタウィンドウに、ＲＡＭ１４へ読み込んだファイルＰＣＢのプリント基板レイアウト図データに基づくプリント基板レイアウト図（図形）が表示される（図２（ｃ）参照）。
　【００３３】
２．フォワードアノテーション（回路図データの変更をプリント基板レイアウト図データに反映する処理）
　ここで、オペレータが、回路図用グラフィックスエディタによる処理を実行して回路図の編集（変更）などを行った際に、論理接続情報の変更が発生するような回路図の変更処理を行った場合について説明する。
　【００３４】
　なお、理解を容易にするために、図２（ａ）に示すファイルＡによる回路図の表示の「状態Ａ」から図２（ｂ）に示す「状態Ｂ」に、即ち、ファイルＡによる回路図の表示の「状態Ａ」から部品「Ｒ１」を削除し、部品「ＩＣ１」のピン「Ａ」と部品「ＩＣ２」のピン「Ｂ」とを同電位のネットで結線する表示の「状態Ｂ」のように回路図を変更する場合について説明する。
　【００３５】
　上記したようなファイルＡによる回路図の変更処理が行われた場合には、オペレーターは、ＣＰＵ１０によるファイルＡで発生した設計変更をファイルＡの回路図と対応するプリント基板レイアウト図のファイルＰＣＢに反映させる処理の実行を指示する操作を行う。こうした操作は、例えば、キーボードの所定のキーを押すこととして、予めＣＡＤシステム上に設定しておけばよい。
　【００３６】
　また、ＣＰＵ１０がファイルＡで発生した設計変更をファイルＰＣＢに反映させる処理を実行する際に、ＣＰＵ１０の制御により後述する差分情報の表示方法も設定するようにする。
　【００３７】
　ここで、差分情報の表示方法とは、後述するように、例えば、「注釈表示方法」（図２（ｄ））と「差分情報表示方法」（図２（ｅ））とがあり、これらの中でいずれかが自動的に設定されるようにしてもよいし、オペレーターが所望の方法を選択できるようにしてもよい。
　【００３８】
　次に、ＣＰＵ１０は、ファイルＡとファイルＰＣＢとからそれぞれ、テキストデータであるネットリストと属性値リストとを抽出する処理を実行する（図３参照）。
　【００３９】
　ここにおいて、ネットリストには、各オブジェクト（この実施の形態においては「部品」である。）間の接続情報が全て記述されており、属性値リストには、各オブジェクト（この実施の形態においては、「部品」と「ネット」である。）が所有する種々の属性値（この実施の形態においては、例えば、「部品の配置制限情報」、「グループ名称」などや、「ネットの最大配線長」、「最小インピーダンス」などである。）が記述されている。
　【００４０】
　なお、ネットリストは、
　「ネット名：ネット種別（電源／グランド／通常）：素子名：ファンクション名：部品ＩＤ：ピン番号：回路図シンポルＩＤ：ピン名；」
のようなフォーマットにより構成されている。
　【００４１】
　上記したように、ＣＰＵ１０の制御により、ファイルＡとファイルＰＣＢとからそれぞれ、テキストデータであるネットリストと属性値リストとが抽出されると、ＣＰＵ１０はファイルＡのネットリスト１とファイルＰＣＢのネットリスト２とを比較することにより、ファイルＡとファイルＰＣＢとの間で発生した「論理接続情報の差分」を抽出する処理（論理情報差分抽出処理）を実行し、差分情報リストを生成する（図３参照）。
　【００４２】
　以下に、図３を参照しながら、ＣＰＵ１０の制御により実行される「論理情報差分抽出処理」を詳細に説明するものとする。
　【００４３】
　まず、図２（ａ）に示すファイルＡによる回路図の表示の「状態Ａ」から図２（ｂ）に示す「状態Ｂ」に、即ち、ファイルＡによる回路図の表示の「状態Ａ」から部品「Ｒ１」を削除し、部品「ＩＣ１」のピン「Ａ」と部品「ＩＣ２」のピン「Ｂ」とを同電位のネットで結線する表示の「状態Ｂ」のように回路図を変更するように、ネットリスト１を「旧情報」とし、ネットリスト２を「新情報」とした場合について説明する。
　【００４４】
　ＣＰＵ１０の制御により実行される「論理情報差分抽出処理」においては、まず、ネットリスト中の部品単位の比較が行われる。即ち、部品「Ｒ１」とシンボル「１．ｃｍｐ２」とは、ネットリスト１に存在するのに対して、ネットリスト２には存在しないので、「部品の削除」と判断され、「部品の割り付け解除」、「部品のネット切断」および「部品の削除」を差分情報として、差分情報リスト１に出力する。
　【００４５】
　次に、ネットリスト中のピン単位の比較が行われる。即ち、シンボル「１．ｃｍｐ３（ＩＣ２）」のピン「Ｂ」は、ネットリスト１とネットリスト２とにともに存在し、その接続ネットは、ネットリスト１では「ＮＥＴ２」であり、ネットリスト２では「ＮＥＴ１」であるので、「ＮＥＴ２」から「ＮＥＴ１」への「ネットの接続変更」と判断され、差分情報リスト１に出力される。
　【００４６】
　また、上記した場合とは逆に、ネットリスト１を「新情報」とし、ネットリスト２を「旧情報」とした場合について説明すると、ＣＰＵ１０の制御により実行される「論理情報差分抽出処理」においては、ネットリスト１を「旧情報」とし、ネットリスト２を「新情報」とした場合と同様に、まず、ネットリスト中の部品単位の比較が行われる。即ち、部品「Ｒ１」とシンボル「１．ｃｍｐ２」とは、ネットリスト１に存在するのに対して、ネットリスト２には存在しないので、「部品の追加」と判断され、「部品の追加」、「部品の割り付け」および「部品のネット接続」を差分情報として、差分情報リスト２に出力する。
　【００４７】
　次に、ネットリスト中のピン単位の比較が行われる。即ち、シンボル「１．ｃｍｐ３（ＩＣ２）」のピン「Ｂ」は、ネットリスト１とネットリスト２とにともに存在し、その接続ネットは、ネットリスト１では「ＮＥＴ２」であり、ネットリスト２では「ＮＥＴ１」であるので、「ＮＥＴ１」から「ＮＥＴ２」への「ネットの接続変更」と判断され、差分情報リスト２に出力される。
　【００４８】
　さらに、上記したネットリスト１とネットリスト２との場合と同様に、ファイルＡとファイルＰＣＢとの２つの属性値リストを比較することにより、ファイルＡとファイルＰＣＢとの間で発生した「属性値情報の差分」が抽出され、差分情報リストが作成される。
　【００４９】
　そして、ＣＰＵ１０は、上記のようにしてネットリストならびに属性値リストから作成された差分情報リストを参照することによって、予め設定された差分情報の表示方法により、第２グラフィックス表示装置２０の基板レイアウト用グラフィックスエディタウィンドウに表示されたプリント基板レイアウト図上において、論理接続情報の差分を表示する。
　【００５０】
　ここで、上記のようにして得られた差分情報リストに示された差分情報を第１グラフィックス表示装置１８あるいは第２グラフィックス表示装置２０に伝達する処理（差分情報伝達処理）について説明する。なお、変更が発生しているオブジェクトは、部品「Ｒ１」と部品「ＩＣ２（１．ｃｍｐ３）」のピン「Ｂ」である。
　【００５１】
　まず、ネットリスト１を「旧情報」とし、ネットリスト２を「新情報」とした場合について説明すると、ＣＰＵ１０は、「部品Ｒ１の削除」と「部品ＩＣ２のピンＢのネット変更（ＮＥＴ２からＮＥＴ１への変更）」とというメッセージを生成し、ツール間通信によって基板レイアウト用グラフィックスエディタに対してコマンドを送信する。そして、基板レイアウト用グラフィックスエディタは送信されたコマンドを受信し、当該コマンドを実行する。
　【００５２】
　また、ネットリスト１を「新情報」とし、ネットリスト２を「旧情報」とした場合について説明すると、ＣＰＵ１０は、「部品Ｒ１の追加」と「部品ＩＣ２のピンＢのネット変更（ＮＥＴ１からＮＥＴ２への変更）」とというメッセージを生成し、ツール間通信によって回路図用グラフィックスエディタに対してコマンドを送信する。そして、回路図用グラフィックスエディタは送信されたコマンドを受信し、当該コマンドを実行する。
　【００５３】
　なお、上記のようにして得られた差分情報リストに示された差分情報を第１グラフィックス表示装置１８あるいは第２グラフィックス表示装置２０に伝達する方法としては、上記したツール間通信によって基板レイアウト用グラフィックスエディタあるいは回路図用グラフィックスエディタにコマンドを送信して処理する方法の他に、データベースを直接更新するバッチ一括処理の方法も用いることができることは勿論である。
　【００５４】
　次に、差分情報の表示方法について説明すると、差分情報の表示方法としては、例えば、「注釈表示方法」（図２（ｄ））と「差分情報表示方法」（図２（ｅ））とがある。
　【００５５】
　ここで、「注釈表示方法」とは、差分情報をデータベースＢ１とデータベースＢ２とに反映し、その際に注釈情報の生成を行い、データベース２に反映するものである。従って、この「注釈表示方式」においては、差分情報が文字列（図２（ｄ）に示す例においては、「削除部品［Ｒ１］」および「ネットの変更［ＮＥＴ１］」である。）により表示されることになる。
　【００５６】
　一方、「差分情報表示方式」においては、差分情報をデータベースＢ１とデータベースＢ２とに反映し、その際に図形情報の差分情報を生成し、データベース２に反映するものである。従って、この「差分情報表示方式」においては、差分情報が図形により表示されることになる。
　【００５７】
　また、この場合に、差分情報を確定的に反映する前に、変更されたオブジェクトの表示態様を、例えば、表示色の変更、あるいはブリンキング（点滅）表示、あるいは変更情報の吹き出し表示などによりテンポラリに変更して、オペレーターに変更箇所の確認を促し、オペレーターが確認してから差分情報を確定的にデータベースＢ１（データベースＡ１）とデータベースＢ２（データベースＡ２）とに反映するようにしてもよい。
　【００５８】
　このようにオペレーターが確認してから差分情報をデータベースＢ１（データベースＡ１）とデータベースＢ２（データベースＡ２）とに反映する場合には、メッセージを生成し、ツール間通信によって基板レイアウト用グラフィックスエディタあるいは回路図用グラフィックスエディタにコマンドを送信するようにすればよい。
　【００５９】
　上記のようにして第１グラフィックス表示装置１８あるいは第２グラフィックス表示装置２０に差分内容、即ち、変更内容が表示されることになるが、この変更がオペレーターの意にそぐわないときは、オペレーターは変更の取り消しを指示する操作を行い、ＣＰＵ１０は変更の取り消しの処理を実行する。こうした、指示の取り消しの処理は、公知の技術であるので、詳細な説明を省略する。
　【００６０】
　一方、第１グラフィックス表示装置１８あるいは第２グラフィックス表示装置２０に表示された差分内容、即ち、変更内容が適正な場合には、変更の反映を指示する操作を行い、上記のように所定のデータベースに対して変更を確定的に反映させる処理を行う。即ち、この変更の反映を指示する操作に応じて、ＣＰＵ１０は、差分情報リストを参照することによって、「論理接続情報の差分」を所定のデータベースに反映する。
　【００６１】
　なお、部品の追加が発生した場合には、基板領域外に未配置部品として自動で整列処理を行う。そして、オペレーターは、その部品を指示して実際の配置を決定していくことになる。
　【００６２】
　逆に、後述するバックワードアノテーションにおいて部品の追加が発生した場合には、回路図データにはバックワードアノテーション用の拡張ページ（領域）が用意されており、フォワードアノテーションと同様に追加部品に対しては、未配置シンボルとして拡張ページに自動で整列処理を行う。そして、オペレーターは、そのシンボルを指示して実際の配置ページ、配置位置を決めていくことになる。
　【００６３】
３．バックワードアノテーション（プリント基板レイアウト図データの変更を回路図データに反映する処理）
　次に、バックワードアノテーションに関して説明するが、通常、１枚のプリント基板を設計するにあたっては、回路図が複数ページから構成されることが多い。また、ある回路図ページが下位階層の回路図データを有している場合もある。
　【００６４】
　図４（ａ）には、上記したような場合の例を示しており、即ち、回路図データの「ファイルＡ」は、「００１」、「００２」および「００３」の３ページから構成されている。そして、下位階層の回路図データとして「ファイルＢ」を含んでいる。この「ファイルＢ」は、「００１」と「００２」との２ページからなる回路図データである。
　【００６５】
　ここで、基板レイアウト用グラフィックエディタの処理において、プリント基板レイアウト図に対して何らかの編集が行われ、基板レイアウトデータの変更により発生した差分情報を、回路図用グラフィックスエディタにより処理される回路図データにバックワードアノテーションする場合において、ファイルＡの回路図データを構成するページや下位階層の回路図の中でどのデータが変更されたかを視覚的に認識できるようにする表示する例を、図４（ｂ）に示している。
　【００６６】
　即ち、オペレータが、基板レイアウト用グラフィックエディタの処理において、論理接続情報の変更が発生するようなプリント基板レイアウト図の変更を行うと、オペレーターは、ＣＰＵ１０によるファイルＰＣＢで発生した設計変更をファイルＰＣＢのプリント基板レイアウト図と対応する回路図のファイルＡに反映させる処理の実行を指示する操作を行う。こうした操作は、例えば、キーボードの所定のキーを押すこととして、予めＣＡＤシステム上に設定しておけばよい。
　【００６７】
　ここで、回路図データマネージャは、ファイルＡに対してバックワードアノテーションに必要な全ての情報を用意しているものとする。即ち、回路図データマネージャは、ファイルＡとファイルＢという階層関係にある別々のデータベースをフラットに展開した一つのデータベースを生成することができるようになされている。これは、回路図データマネージャの表示領域には表示されないが、ＣＡＤシステム内部で保持しており、バックワードアノテーション時に参照される。
　【００６８】
　そして、このデータベース（以下、「インスタンスデータベース」と称す。）の中には、上記した例における「ＩＣ１」、「Ｒ１」といった部品がどの階層データのどのページにあるものなのかという情報が記憶されている。
　【００６９】
　こうしたインスタンスデータベースと差分情報リストとを参照することにより、実際にどのページあるいはどの階層において変更が発生するのかを検出するようになされている。
　【００７０】
　なお、インスタンスデータベースの内部では、
　「部品の識別子
　　　　　　：部品が存在する回路図データ名とページ番号
　　　　　　：上位の回路図データ名とそのページ番号
　　　　　　　　　　・・・
　　　　　　：最上位回路図データ名とそのページ番号；
　　ネットの識別子
　　　　　　：ネットが存在する回路図データ名とページ番号，
　　　　　　　　　　・・・
　　　　　　：ネットが存在する回路図データ名とページ番号」
のような情報を持つようになされている。
　【００７１】
　具体的には、
「ＩＣ１　：ｆｉｌｅＢ．００２：ｆｉｌｅＡ．００１；
　Ｒ１　　：ｆｉｌｅＣ．００１：ｆｉｌｅＢ．００１：ｆｉｌｅＡ．００１；
　ＮＥＴ１：ｆｉｌｅＢ．００１，ｆｉｌｅＢ．００２，ｆｉｌｅＡ．００１」
のように記載される。
　【００７２】
　上記した例は、ファイルＡ（ｆｉｌｅＡ）に対して一つのインスタンスデータベース「ｉｎｓＡ」を持ち、下位階層の情報を全て含んでいる例である。
　【００７３】
　例えば、部品「ＩＣ１」に変更が生じた場合には、部品の識別子によって該当する情報を検索し、部品が存在するデータが回路図データ「ファイルＢ（ｆｉｌｅＢ）」のページ「００２」であったとする。
　【００７４】
　そのとき、表示状態の変更をすべきものは、「ｆｉｌｅＡ」、「ｆｉｌｅＢ」、「００２」であると判断し、それらのデータに対応する回路図データマネージャの表示領域上の絵情報（ユーザーインターフェースオブジェクト）としてのアイコンの表示を変更するようにすればよい。
　【００７５】
　また、「ｆｉｌｅＡ」に対してバックワードアノテーションを行った場合に、変更が発生するデータがページ「００１」と「ｆｉｌｅＢ」のページ「００２」であったとする。
　【００７６】
　この場合には、回路図データマネージャの処理によって、変更データを検出して、回路図データマネージャの表示領域上に回路図データ「ｆｉｌｅＡ」とそのページ「００１」、回路図データ「ｆｉｌｅＢ」とそのページ「００２」の表示態様の変更（例えば、表示色を変更するなどである。）を行い、オペレーターに対して視覚的に容易に認知させる。
　【００７７】
　この際に、表示状態を変更すると同時に各データに差分情報リストの内容もリンクして持たせることにより、オペレーターは、第１グラフィックス表示装置１８あるいは第２グラフィックス表示装置２０により図形を表示することなく、メニュー上の操作によりそのデータに関する差分情報のみをテキストデータとして確認することもできる。
　【００７８】
４．本発明のドキュメンテーション編集装置への適用
　次に、本発明をドキュメンテーション編集装置に適用した場合について説明する。
　【００７９】
　なお、以下の説明においては、図５に示す例を用いて説明するものとする。この図５には、電子メールなどで「開業２０周年パーティ」の案内状を送付するための元データを作成する場合における例が示されている。
　【００８０】
　このドキュメンテーション編集装置においては、文章、ハイパーテキスト、図形、画像などのデータを扱うことができるものであり、これらのデータは内部的には物理情報と論理情報とにより構成されている。
　【００８１】
　ここで、論理情報は、
　「情報識別子：内容：参照ファイル名称」
で構成されており、
　・情報識別子は、論理情報のタイプ（文章、画像、ハイパーテキストなど）とそのタイプの中でのＩＤから構成される。
　【００８２】
　・内容は、文章の中味など画面に表示される情報を示す。
　【００８３】
　・参照ファイル名称とは、画像やハイパーテキストなどで使用される各種ファイルの存在する場所（ディレクトリ）とファイル名称を示す。
　【００８４】
ものである。
　【００８５】
　例えば、「ハイ１：抽選券：／ｔｅｘｔ／ｐａｒｔｙ＿２０／ｃｈｉｚｕ１．ｂｍｐ」では、ハイパーテキスト情報の１番目のデータで、表示される文字列は「抽選券」で、その文字列をマウスなどの操作子で選択すると、表示されるデータは「／ｔｅｘｔ／ｐａｒｔｙ＿２０／ｃｈｉｚｕ１．ｂｍｐ」に保存されることを示している。
　【００８６】
　また、物理情報は、
　「情報識別子：ｘ方向表示位置：ｙ方向表示位置：表示属性」
で構成されており、
　・情報識別子は、論理情報の場合と同様に、物理情報のタイプ（文章、画像、ハイパーテキストなど）とそのタイプの中でのＩＤから構成されており、情報識別子により、論理情報と物理情報とが接続される。
　【００８７】
　・ｘ方向表示位置とｙ方向表示位置とは、対象が文字列の場合は文字の座標系（行、列）で表現され、対象が図形、画像の場合はｘｙ座標系で表現される。
　【００８８】
　・表示属性は、文字に対する修飾情報（強調、斜体、フォントなど）や図形に対する修飾情報（線幅、色、線種など）などを表現している。
　【００８９】
ものである。
　【００９０】
　図５には、ファイル１のデータと、ファイル１のデータから修正を行ったファイル２のデータとを比較する例を示している。そして、差分抽出方法は、以下の処理１乃至処理３の手順により実行されるものである。
　【００９１】
　まず、差分を論理情報のみの条件でチェックすると、
　・処理１では、名詞としての差分チェックを行うが、図５に示す例においては、　　名詞として削除あるいは追加されたデータはないので、処理１により差分と　　して抽出されるべきデータはない。
　【００９２】
　・次に、処理２に移り、属性でチェックを行うと、画像１の参照ファイル名称　　とハイパーテキストの「抽選券」の参照ファイル名称で相違点が発見される。
　【００９３】
ことになる。
　【００９４】
　そして、画像１とハイ１との座標位置を物理情報から得て、その部分が強調表示される。
　【００９５】
　さらに、物理情報も含めて条件でチェックすると、
　・処理３で、文章８の日付の表示位置部分と円１の線幅との相違が検出される。
　【００９６】
ことになり、文章８と円１との部分も強調表示される。
　【００９７】
　なお、図５において円１の差異は線幅の相違であり、非常に細かいため画面上での目視では判断が困難であるが、本発明によれば簡単にチェックすることができるようになる。
　【００９８】
　また、上記したドキュメンテーション編集装置とは異なり、単に文章だけの編集装置であっても、物理情報と論理情報とを、
　「物理情報：＝情報識別子：ｘ位置：ｙ位置：表示位置
　　論理情報：＝情報識別子：内容
　　　　（「内容」に文字の値、つまり１文字の情報「あ」などが入る。）」
とすると、
　「あいうえおかきくけこさしすせそ
　　たちつてとなにぬねのはひふへほ
　　　　　　　　・
　　　　　　　　・・・・・・・・・」
を、
　「あいう６えおかきく７けこさしす
　　せそたちつてとなにぬねのはひふ
　　へほ・・・・・・・・・・・・・
　　　　　　　　・
　　　　　　　　・・・・・・・・・」
と変更した場合（途中に文字「６」および文字「７」を追加する。）、
１行ずつ比較を行う従来の方法（単なる文字列比較）では、図６に示すように全ての文字列が同一のフォントで表示されることとなり、修正部分がわかりにくくなるが、本発明を適用して、論理情報のみの条件で差分を検索し、差分のフォントを他の文字列と異なるように表示すると、図７に示すようになり、簡単に差分をチェックすることができる。
　【００９９】
　即ち、本発明は、単に文字列データのみを扱う場合にも適用することができて効果的である。
　【０１００】
５．本発明のユーザーインターフェースオブジェクトヘの適用
　さらに、本発明をユーザーインターフェースオブジェクトとして、例えば、アイコンに適用した場合について説明すると、アイコンの場合には、
　物理情報は、
　「アイコン識別子：アイコン表示ｘ座標：アイコン表示ｙ座標」
で構成され、論理情報は、
　「アイコン識別子：アイコン形状：実行コマンド文字列」
で構成され、
　・アイコン形状は、表示されるアイコンの図形情報（パソコンの場合はビットマップデータ）の保存場所（ディレクトリ）とそのファイル名称を示す。
　【０１０１】
　・実行コマンド文字列は、そのアイコンが選択された場合に、起動するコマンドなどの保存場所（ディレクトリ）とそのファイル名称とを示す。
　【０１０２】
ものとする。
　【０１０３】
　そして、例えば、あるシステムのアップデート（最新のプログラム、環境などを変更し上書きする。）を実施したとして、本発明を適用すると、
　・追加／削除されたファイルは、「名詞の追加／削除のチェック」処理で簡単に見つけることができる。
　【０１０４】
　・修正／編集されたファイルは、「属性のチェック」処理で、アイコンの属性の一つである実行コマンド文字列をチェックすることによって見つけることができる（チェック方法としては、実行コマンド文字列自体の相違、実行コマンド文字列の示すファイル大きさ／更新日付の相違などをチェックする。）。
　【０１０５】
という処理を行う。
　【０１０６】
　上記した処理を実施することによって、実行コマンド文字列が変更されているアイコンを強調表示させることができる。
　【０１０７】
　最近では、上記したようなアップグレードは、ボタン一つの操作で行われ、ＣＡＤシステムの中で、実際にどの部分が、変更されたかをチェックすることは、非常に困難であったが、本発明を適用することによって、両者の相違を簡単に目視することができる。
　【０１０８】
　また、パソコンなどでプログラムのアップデートなどを行った場合には、アップデートが正常に実行されたかどうかをチェックすることが容易になる。
　【０１０９】
　また、上記したＣＡＤシステムにおいても説明したが、パソコン／ワークステーションなどでは、ファイル管理ツールとしてファイルマネージャと称されるツールが使用されているが、本発明はこうしたファイルマネージャの処理に適用することができる。
　【０１１０】
　図８には、ファイルマネージャによる一般的な表示例が示されているが、ここにおいて、ファイルアイコンとは、図８のｆｉｌｅ＊／ｄｉｒ＊を含む図形を称するものとする。
　【０１１１】
　この場合、物理情報として、
　「ファイルアイコン識別子：ファイルアイコン形状：ファイルアイコン表示ｘ座標：ファイルアイコン表示ｙ座標」とし、論理情報として、
　「ファイルアイコン識別子：ファイル名称文字列：ファイルアイコン識別子、・・・、ファイルアイコン識別子」
とすることによって、ファイルの大きさ／更新日付の相違をチェックすることにより、もし図８において「ｆｉｌｅ７」が変更になっている場合は、「ｆｉｌｅ７」が強調表示されるだけではなく、「ｄｉｒ１」の論理情報中には「ｆｉｌｅ７」のファイルアイコン識別子があるため、容易に「ｄｉｒ１」に変更があったとみなされ、「ｄｉｒ１」も強調表示され、「ｄｉｒ０」も同様に強調表示される。
　【０１１２】
　また、こうした処理に加えて、ドキュメンテーション編集装置で説明した処理を付加すると、ファイル内部の相違部分のみの表示も可能となる。
　【０１１３】
　つまり、ファイルの内容が変更されていた場合には、まず、本発明を用いて、修正されたファイルを特定することができる。その後に、ドキュメンテーション編集装置で説明したように、ファイル内部に本発明を適用すると、ファイル内部の変更部分の文字のみを表示することが可能になる。
　【０１１４】
　なお、上記においては、画面に表示される絵情報たるユーザーインターフェースオブジェクトとしてアイコンについて説明したが、これに限られることなしに、アイコン以外のユーザーインターフェースオブジェクトとして、例えば、画面に表示されるボタン、スクロールバーなどのユーザーインターフェースオブジェクトに本発明を用いてもよいことは勿論である。
　【０１１５】
　例えば、ユーザーインターフェースオブジェクトがボタンであり、このボタンをキーボードやマウスなどの操作子を用いて操作するものにおいても、
　物理情報を、
　「ボタン識別子：ボタン表示ｘ座標：ボタン表示ｙ座標」とし、
　論理情報を、
　「ボタン識別子：ボタン形状ファイル名称：実行コマンド文字列」と
定義すると、本発明を適用することができる。
　【０１１６】
　なお、他のユーザーインターフェースオブジェクトに関しても、上記したボタンの場合と同様である。
　【０１１７】
　一般に、パソコンなどのインストールツールでは、ユーザーの意思を考慮せずに、システムファイルの書き替えを自動的に行うツールが多く、ツールをディレクトリ移動する場合などには、パソコンに対する多くの知識が必要になり、容易に行うことができないものであったが、このように本発明をファイルマネージャに適用することより、ファイルの改編を容易に把握することができるようになる。
　【０１１８】
　【発明の効果】
　本発明は、以上説明したように構成されているので、設計変更の内容や改版前後の論理情報の差異情報といったものを、設計変更の内容や改版前後の論理情報が反映される対象となる設計図やネット・リストを示す図形上で、オペレーターが直感的に簡明に認識することができるようなり、設計時間を大幅に短縮化することができるという優れた効果を奏する。
　【０１１９】
　即ち、本発明によれば、回路図、プリント基板レイアウト図といった論理的接続関係を持つ図形情報を扱うＣＡＤシステムなどにおいては、
　（１）設計変更によって生じた論理情報の差分を容易に短時間で、かつ直感的に確認することができる。
　【０１２０】
　（２）設計変更作業におけるミスを削減できる。
　【０１２１】
　（３）改版作業における論理情報の差分を容易に短時間で、かつ直感的に確認することができる。
　【０１２２】
　（４）流用設計などで過去の設計データを利用して編集作業を行う際に、回路設計で変更された情報または基板編集で変更された情報を回路図上で、あるいは基板レイアウト上で、容易に短時間で、かつ直感的に確認することができる。
　【０１２３】
などの優れた効果を奏するものであり、また、ファイル管理、ツール管理をアイコン、ボタン、スクロールバーなどの絵情報たるユーザーインターフェースオブジェクトによって行うオペレーティングシステムにおいては、
　（１）ワープロや表計算などの種々のアプリケーションソフトウェアをインストールする際に、変更が生じたファイルとその内容を容易に確認することができるようになり、インストール時に発生するオペレーティングシステム上のトラブルを未然に防止することができる。
　【０１２４】
　（２）種々のアプリケーションソフトウェアのアップデートなどによる環境の設定／変更を実施する際に、設定／変更が生じたファイルとその内容を容易に確認することができるようになり、環境の設定／変更時に発生するオペレーティングシステム上のトラブルを未然に防止することができる。
　【０１２５】
などの優れた効果を奏するものである。
【図面の簡単な説明】
　【図１】
　本発明による差分表示装置を備えたＣＡＤシステムを示すブロック構成図である。
　【図２】
　ファワードアノテーションの場合を示す説明図である。
　【図３】
　論理情報差分抽出処理の説明図である。
　【図４】
　バックアノテーションの場合を示す説明図である。
　【図５】
　本発明をドキュメンテーション編集装置に適用した場合の例を示す説明図である。
　【図６】
　従来の文章だけの編集装置による表示例を示す説明図である。
　【図７】
　本発明を適用した文章だけの編集装置による表示例を示す説明図である。
　【図８】
　ファイルマネージャによる一般的な表示例を示す説明図である。
　【符号の説明】
　１０　　　ＣＰＵ
　１２　　　ＲＯＭ
　１４　　　ＲＡＭ
　１６　　　磁気ディスク
　１８　　　第１グラフィックス表示装置
　２０　　　第２グラフィックス表示装置
　２２　　　キーボード
　２４　　　マウス